(57)【要約】  ユーザ機器(UE)は、第1の送信時間間隔(TTI)長および前記第1のTTI長より短い第2のTTI長を利用する通信のための構成を確立し得る。第1のTTI長は第1のトラフィックタイプ(たとえば、第1のレイテンシまたは信頼性の特性)と関連付けられることがあり、第2のTTI長は第2のトラフィックタイプ(たとえば、第2のレイテンシまたは信頼性の特性)と関連付けられることがある。UEは、第2のTTI長と関連付けられるチャネル状態情報(CSI)報告に対するトリガを特定し、(たとえば、第2のTTI長を有する)CSI報告のための基準リソースを特定し得る。UEは、基準リソースに基づいてCSI報告を生成することができ、報告TTIの間に、特定されたトリガに応答して、CSI報告を送信することができる。
2020519095.tif 000002
【特許請求の範囲】
【請求項１】
ワイヤレス通信のための方法であって、
第1の送信時間間隔(TTI)長および前記第1のTTI長より短い第2のTTI長を利用する通信のための構成を確立するステップと、
前記第2のTTI長と関連付けられるチャネル状態情報(CSI)報告に対するトリガを特定するステップと、
前記CSI報告のための基準リソースを特定するステップであって、前記基準リソースが、前記第2のTTI長を有するTTIを備え、前記第2のTTI長と関連付けられる報告構成に少なくとも一部基づいて特定される、ステップと、
前記基準リソースに少なくとも一部基づいて前記CSI報告を生成するステップと、
報告TTIの間に、前記特定されたトリガに応答して、前記CSI報告を送信するステップとを備える、方法。
【請求項２】
前記トリガを特定する前記ステップが、第1のTTIの中の非定期的なCSI報告トリガを備える前記第1のTTI長と関連付けられるダウンリンク制御情報(DCI)メッセージを受信するステップを備える、請求項1に記載の方法。
【請求項３】
複数のインデックス付けされるエントリを備える非定期的なCSI報告トリガ構成を受信するステップをさらに備え、前記複数のインデックス付けされるエントリのうちの少なくとも1つが、前記第2のTTI長のためのCSI報告に対する前記トリガを示し、前記DCIメッセージが、前記複数のインデックス付けされたエントリのうちの1つに対するインデックスを備える、請求項2に記載の方法。
【請求項４】
前記報告構成が、前記第1のTTI内の前記第2のTTI長の構成されたTTIを備える、請求項2に記載の方法。
【請求項５】
前記報告構成が、前記基準リソースが前記報告TTIに先行するような前記第2のTTI長のTTIの数を備える、請求項2に記載の方法。
【請求項６】
前記トリガを特定する前記ステップが、
非定期的なCSI報告トリガを備える前記第2のTTI長と関連付けられるダウンリンク制御情報(DCI)メッセージを受信するステップを備える、請求項1に記載の方法。
【請求項７】
前記非定期的なCSI報告トリガが、前記第1のTTI長と関連付けられる第2のCSI報告が前記報告TTIにおいて前記CSI報告とともに送信されることをトリガし、前記報告TTIが前記第2のTTI長を有する、請求項6に記載の方法。
【請求項８】
前記第2のTTI長のTTIの第1のセットが第1の数のシンボルを有し、前記第2のTTI長のTTIの第2のセットが第2の数のシンボルを有し、前記基準リソースに少なくとも一部基づいて前記CSI報告を生成するステップがさらに、
TTIの前記第1のセットおよびTTIの前記第2のセットのために前記第1の数のシンボルに少なくとも一部基づいて前記CSI報告を生成するステップを備える、請求項1に記載の方法。
【請求項９】
前記CSI報告を生成する前記ステップが、
前記基準リソースに基づいて前記第2のTTI長と関連付けられるチャネル品質インジケータ(CQI)を決定するステップを備える、請求項1に記載の方法。
【請求項１０】
通信のための前記構成が、前記第1のTTI長より短く前記第2のTTI長と異なる第3のTTI長を利用する、請求項9に記載の方法。
【請求項１１】
前記CSI報告を生成する前記ステップが、
前記基準リソースに基づいて前記第3のTTI長と関連付けられる第2のCQIを決定するステップを備える、請求項10に記載の方法。
【請求項１２】
前記CSI報告を生成する前記ステップが、
前記基準リソースが前記第3のTTI長を有することを決定するステップと、
前記基準リソースに先行する前記第2のTTI長を有するTTIへと前記基準リソースを合わせるステップとを備える、請求項10に記載の方法。
【請求項１３】
前記CQIを決定するステップが、制御チャネルオーバーヘッドの不在、所定の量の制御チャネルオーバーヘッド、前記トリガと関連付けられるTTIにおける制御チャネルオーバーヘッドの量、または、前記第1のTTI長に対する前記第2のTTI長の比および前記第1のTTI長に対して利用可能なリソース要素の数から決定される利用可能なリソース要素の数に少なくとも一部基づく、請求項9に記載の方法。
【請求項１４】
CSI処理能力をシグナリングするステップをさらに備え、前記CSI処理能力が、前記第1のTTI長のためのサポートされるCSI処理の第1の数と、前記第2のTTI長のためのサポートされるCSI処理の第2の数とを示す、請求項1に記載の方法。
【請求項１５】
報告されていないCSI要求の数がCSI処理能力閾値を超えることを決定するステップと、
前記報告されていないCSI要求と関連付けられるトリガのタイミング、前記報告されていないCSI要求と関連付けられる報告TTIのタイミング、前記報告されていないCSI要求と関連付けられるTTIの長さ、前記報告されていないCSI要求と関連付けられる複数の構成されたセルのためのそれぞれのセルインデックス、前記報告されていないCSI要求と関連付けられるそれぞれのトラフィックタイプ、またはこれらの組合せに少なくとも一部基づいて、前記報告されていないCSI要求を優先順位付けるステップとをさらに備える、請求項1に記載の方法。
【請求項１６】
前記第2のTTI長と関連付けられるCSI報告に対する報告されていないCSI要求が、前記第1のTTI長と関連付けられるCSI報告に対する報告されていないCSI要求より優先される、請求項15に記載の方法。
【請求項１７】
前記報告されていないCSI要求を優先順位付ける前記ステップが、
前記報告されていないCSI要求の第1のサブセットに対するCSI測定結果を更新し、前記報告されていないCSI要求の第2のサブセットに対するCSI測定結果の更新を抑制するステップを備える、請求項15に記載の方法。
【請求項１８】
前記第1のTTI長と関連付けられる物理ダウンリンク共有チャネル(PDSCH)のリソース要素当たりエネルギー(EPRE)と第1の基準信号のEPREとの第1の比と、前記第2のTTI長と関連付けられるPDSCHのEPREと第2の基準信号のEPREとの第2の比とを特定するステップをさらに備え、前記CSI報告を生成する前記ステップが前記第2の比に少なくとも一部基づく、請求項1に記載の方法。
【請求項１９】
前記第2の比が前記第1の比と等しい、請求項18に記載の方法。
【請求項２０】
前記第2の比が前記第1の比と異なる、請求項18に記載の方法。
【請求項２１】
前記CSI報告を送信する前記ステップが、
前記生成されたCSI報告によってパンクチャリングされる物理アップリンク共有チャネル(PUSCH)を送信するステップを備える、請求項1に記載の方法。
【請求項２２】
前記第1のTTI長が第1のトラフィックタイプと関連付けられ、前記第2のTTI長が第2のトラフィックタイプと関連付けられる、請求項1に記載の方法。
【請求項２３】
第1の送信モードが、前記第1のTTI長または前記第1のトラフィックタイプを利用する通信のために構成され、前記第1の送信モードと異なる第2の送信モードが、前記第2のTTI長または前記第2のトラフィックタイプを利用する通信のために構成される、請求項22に記載の方法。
【請求項２４】
前記第2のTTI長と関連付けられる前記CSI報告に対する前記トリガを特定する前記ステップが、前記第2のトラフィックタイプと関連付けられる非定期的なCSI報告トリガを受信するステップを備える、請求項22に記載の方法。
【請求項２５】
前記第1のTTI長に対する非定期的なCSI報告が前記報告TTIのためにスケジューリングされることを決定するステップと、
前記第2のTTI長に対する前記CSI報告と同時に、前記報告TTIにおいて前記第1のTTI長に対する前記非定期的なCSI報告を送信するステップとをさらに備える、請求項1に記載の方法。
【請求項２６】
前記第2のTTI長を利用する通信と関連付けられる通信プロトコルが、超低レイテンシ(ULL)プロトコルまたは超高信頼性低レイテンシ通信(URLLC)プロトコルを備える、請求項1に記載の方法。
【請求項２７】
ワイヤレス通信のための装置であって、
第1の送信時間間隔(TTI)長および前記第1のTTI長より短い第2のTTI長を介した通信のための構成を確立するための手段と、
前記第2のTTI長と関連付けられるチャネル状態情報(CSI)報告に対するトリガを特定するための手段と、
前記CSI報告のための基準リソースを特定するための手段であって、前記基準リソースが、前記第2のTTI長を有するTTIを備え、前記第2のTTI長と関連付けられる報告構成に少なくとも一部基づいて特定される、手段と、
前記基準リソースに少なくとも一部基づいて前記CSI報告を生成するための手段と、
報告TTIの間に、前記特定されたトリガに応答して、前記CSI報告を送信するための手段とを備える、装置。
【請求項２８】
前記トリガを特定するための前記手段が、
第1のTTIにおいて、非定期的なCSI報告トリガを備える前記第1のTTI長と関連付けられるダウンリンク制御情報(DCI)メッセージを受信するための手段を備える、請求項27に記載の装置。
【請求項２９】
複数のインデックス付けされるエントリを備える非定期的なCSI報告トリガ構成を受信するための手段をさらに備え、前記複数のインデックス付けされるエントリのうちの少なくとも1つが、前記第2のTTI長のためのCSI報告に対する前記トリガを示し、前記DCIメッセージが、前記複数のインデックス付けされるエントリのうちの1つに対するインデックスを備える、請求項28に記載の装置。
【請求項３０】
前記報告構成が、前記第1のTTI内の前記第2のTTI長の構成されたTTIを備える、請求項28に記載の装置。
【請求項３１】
前記報告構成が、前記基準リソースが前記報告TTIに先行するような前記第2のTTI長のTTIの数を備える、請求項28に記載の装置。
【請求項３２】
前記トリガを特定するための前記手段が、
非定期的なCSI報告トリガを備える前記第2のTTI長と関連付けられるダウンリンク制御情報(DCI)メッセージを受信するための手段を備える、請求項27に記載の装置。
【請求項３３】
前記非定期的なCSI報告トリガが、前記第1のTTI長と関連付けられる第2のCSI報告が前記報告TTIにおいて前記CSI報告とともに送信されることをトリガし、前記報告TTIが前記第2のTTI長を有する、請求項32に記載の装置。
【請求項３４】
前記第2のTTI長のTTIの第1のセットが第1の数のシンボルを有し、前記第2のTTI長のTTIの第2のセットが第2の数のシンボルを有し、前記基準リソースに少なくとも一部基づいて前記CSI報告を生成するための前記手段が、
TTIの前記第1のセットおよびTTIの前記第2のセットのために前記第1の数のシンボルに少なくとも一部基づいて前記CSI報告を生成するための手段を備える、請求項27に記載の装置。
【請求項３５】
前記CSI報告を生成するための前記手段が、
前記基準リソースに基づいて前記第2のTTI長と関連付けられるチャネル品質インジケータ(CQI)を決定するための手段を備える、請求項27に記載の装置。
【請求項３６】
通信のための前記構成が、前記第1のTTI長より短く前記第2のTTI長と異なる第3のTTI長を利用する、請求項35に記載の装置。
【請求項３７】
前記CSI報告を生成するための前記手段が、
前記基準リソースに基づいて前記第3のTTI長と関連付けられる第2のCQIを決定するための手段を備える、請求項36に記載の装置。
【請求項３８】
前記CSI報告を生成するための前記手段が、
前記基準リソースが前記第3のTTI長を有することを決定するための手段と、
前記基準リソースに先行する前記第2のTTI長を有するTTIへと前記基準リソースを合わせるための手段とを備える、請求項36に記載の装置。
【請求項３９】
前記CQIを決定することが、制御チャネルオーバーヘッドの不在、所定の量の制御チャネルオーバーヘッド、前記トリガと関連付けられるTTIにおける制御チャネルオーバーヘッドの量、または、前記第1のTTI長に対する前記第2のTTI長の比および前記第1のTTI長に対して利用可能なリソース要素の数から決定される利用可能なリソース要素の数に少なくとも一部基づく、請求項35に記載の装置。
【請求項４０】
CSI処理能力をシグナリングするための手段をさらに備え、前記CSI処理能力が、前記第1のTTI長のためのサポートされるCSI処理の第1の数と、前記第2のTTI長のためのサポートされるCSI処理の第2の数とを示す、請求項27に記載の装置。
【請求項４１】
報告されていないCSI要求の数がCSI処理能力閾値を超えることを決定するための手段と、
前記報告されていないCSI要求と関連付けられるトリガのタイミング、前記報告されていないCSI要求と関連付けられる報告TTIのタイミング、前記報告されていないCSI要求と関連付けられるTTIの長さ、前記報告されていないCSI要求と関連付けられる複数の構成されたセルのためのそれぞれのセルインデックス、前記報告されていないCSI要求と関連付けられるそれぞれのトラフィックタイプ、またはこれらの組合せに少なくとも一部基づいて、前記報告されていないCSI要求を優先順位付けるための手段とをさらに備える、請求項27に記載の装置。
【請求項４２】
前記第2のTTI長と関連付けられるCSI報告に対する報告されていないCSI要求が、前記第1のTTI長と関連付けられるCSI報告に対する報告されていないCSI要求より優先される、請求項41に記載の装置。
【請求項４３】
前記報告されていないCSI要求を優先順位付けるための前記手段が、
前記報告されていないCSI要求の第1のサブセットに対するCSI測定結果を更新し、前記報告されていないCSI要求の第2のサブセットに対するCSI測定結果の更新を抑制するための手段を備える、請求項41に記載の装置。
【請求項４４】
前記第1のTTI長と関連付けられる物理ダウンリンク共有チャネル(PDSCH)のリソース要素当たりエネルギー(EPRE)と第1の基準信号のEPREとの第1の比と、前記第2のTTI長と関連付けられるPDSCHのEPREと第2の基準信号のEPREとの第2の比とを特定するための手段をさらに備え、前記CSI報告を生成することが前記第2の比に少なくとも一部基づく、請求項27に記載の装置。
【請求項４５】
前記第2の比が前記第1の比と等しい、請求項44に記載の装置。
【請求項４６】
前記第2の比が前記第1の比と異なる、請求項44に記載の装置。
【請求項４７】
前記CSI報告を送信するための前記手段が、
前記生成されたCSI報告によってパンクチャリングされる物理アップリンク共有チャネル(PUSCH)を送信するための手段を備える、請求項27に記載の装置。
【請求項４８】
前記第1のTTI長が第1のトラフィックタイプと関連付けられ、前記第2のTTI長が第2のトラフィックタイプと関連付けられる、請求項27に記載の装置。
【請求項４９】
第1の送信モードが、前記第1のTTI長または前記第1のトラフィックタイプを利用する通信のために構成され、前記第1の送信モードと異なる第2の送信モードが、前記第2のTTI長または前記第2のトラフィックタイプを利用する通信のために構成される、請求項48に記載の装置。
【請求項５０】
前記第2のTTI長と関連付けられる前記CSI報告に対する前記トリガを特定するための前記手段が、前記第2のトラフィックタイプと関連付けられる非定期的なCSI報告トリガを受信するための手段を備える、請求項48に記載の装置。
【請求項５１】
前記第1のTTI長に対する非定期的なCSI報告が前記報告TTIのためにスケジューリングされることを決定するための手段と、
前記第2のTTI長に対する前記CSI報告と同時に、前記報告TTIにおいて前記第1のTTI長に対する前記非定期的なCSI報告を送信するための手段とをさらに備える、請求項27に記載の装置。
【請求項５２】
前記第2のTTI長を利用する通信と関連付けられる通信プロトコルが、超低レイテンシ(ULL)プロトコルまたは超高信頼性低レイテンシ通信(URLLC)プロトコルを備える、請求項27に記載の装置。
【請求項５３】
ワイヤレス通信のための装置であって、
プロセッサと、
前記プロセッサと電子的に通信しているメモリと、
前記メモリに記憶された命令とを備え、前記命令が、前記プロセッサによって実行されると、前記装置に、
第1の送信時間間隔(TTI)長および前記第1のTTI長より短い第2のTTI長を利用する通信のための構成を確立させ、
前記第2のTTI長と関連付けられるチャネル状態情報(CSI)報告に対するトリガを特定させ、
前記CSI報告のための前記第2のTTI長に対する基準リソースを特定させ、前記基準リソースが、前記第2のTTI長を有するTTIを備え、前記第2のTTI長と関連付けられる報告構成に少なくとも一部基づいて特定され、
前記基準リソースに少なくとも一部基づいて前記CSI報告を生成させ、
報告TTIの間に、前記特定されたトリガに応答して、前記CSI報告を送信させる、装置。
【請求項５４】
前記装置に前記トリガを特定させるように前記プロセッサによって実行可能な前記命令が、前記装置に、
第1のTTIにおいて、非定期的なCSI報告トリガを備える前記第1のTTI長と関連付けられるダウンリンク制御情報(DCI)メッセージを受信させるように、前記プロセッサによって実行可能な命令を備える、請求項53に記載の装置。
【請求項５５】
前記命令が、
複数のインデックス付けされるエントリを備える非定期的なCSI報告トリガ構成を受信するように、前記プロセッサによって実行可能であり、前記複数のインデックス付けされるエントリのうちの少なくとも1つが、前記第2のTTI長のためのCSI報告に対する前記トリガを示し、前記DCIメッセージが、前記複数のインデックス付けされるエントリのうちの1つに対するインデックスを備える、請求項54に記載の装置。
【請求項５６】
前記報告構成が、前記第1のTTI内の前記第2のTTI長の構成されたTTIを備える、請求項54に記載の装置。
【請求項５７】
前記報告構成が、前記基準リソースが前記報告TTIに先行するような前記第2のTTI長のTTIの数を備える、請求項54に記載の装置。
【請求項５８】
前記装置に前記トリガを特定させるように前記プロセッサによって実行可能な前記命令が、前記装置に、
非定期的なCSI報告トリガを備える前記第2のTTI長と関連付けられるダウンリンク制御情報(DCI)メッセージを受信させるように、前記プロセッサによって実行可能な命令を備える、請求項53に記載の装置。
【請求項５９】
前記非定期的なCSI報告トリガが、前記第1のTTI長と関連付けられる第2のCSI報告が前記報告TTIにおいて前記CSI報告とともに送信されることをトリガし、前記報告TTIが前記第2のTTI長を有する、請求項58に記載の装置。
【請求項６０】
前記第2のTTI長のTTIの第1のセットが第1の数のシンボルを有し、前記第2のTTI長のTTIの第2のセットが第2の数のシンボルを有し、前記装置に前記CSI報告を生成させるように前記プロセッサによって実行可能な前記命令が、前記装置に、
TTIの前記第1のセットおよびTTIの前記第2のセットのために前記第1の数のシンボルに少なくとも一部基づいて前記CSI報告を生成させるように、前記プロセッサによって実行可能な命令を備える、請求項53に記載の装置。
【請求項６１】
前記装置に前記CSI報告を生成させるように前記プロセッサによって実行可能な前記命令が、前記装置に、
前記基準リソースに基づいて前記第2のTTI長と関連付けられるチャネル品質インジケータ(CQI)を決定させるように、前記プロセッサによって実行可能な命令を備える、請求項53に記載の装置。
【請求項６２】
通信のための前記構成が、前記第1のTTI長より短く前記第2のTTI長と異なる第3のTTI長を利用する、請求項61に記載の装置。
【請求項６３】
前記装置に前記CSI報告を生成させるように前記プロセッサによって実行可能な前記命令が、前記装置に、
前記基準リソースに基づいて前記第3のTTI長と関連付けられる第2のCQIを決定させるように、前記プロセッサによって実行可能な命令を備える、請求項62に記載の装置。
【請求項６４】
前記装置に前記CSI報告を生成させるように前記プロセッサによって実行可能な前記命令が、前記装置に、
前記基準リソースが前記第3のTTI長を有することを決定させ、
前記基準リソースに先行する前記第2のTTI長を有するTTIへと前記基準リソースを合わせさせるように、前記プロセッサによって実行可能な命令を備える、請求項62に記載の装置。
【請求項６５】
前記CQIを決定することが、制御チャネルオーバーヘッドの不在、所定の量の制御チャネルオーバーヘッド、前記トリガと関連付けられるTTIにおける制御チャネルオーバーヘッドの量、または、前記第1のTTI長に対する前記第2のTTI長の比および前記第1のTTI長に対して利用可能なリソース要素の数から決定される利用可能なリソース要素の数に少なくとも一部基づく、請求項61に記載の装置。
【請求項６６】
前記命令が、
CSI処理能力をシグナリングするように前記プロセッサによって実行可能であり、前記CSI処理能力が、前記第1のTTI長のためのサポートされるCSI処理の第1の数と、前記第2のTTI長のためのサポートされるCSI処理の第2の数とを示す、請求項53に記載の装置。
【請求項６７】
前記命令が、
報告されていないCSI要求の数がCSI処理能力閾値を超えることを決定し、
前記報告されていないCSI要求と関連付けられるトリガのタイミング、前記報告されていないCSI要求と関連付けられる報告TTIのタイミング、前記報告されていないCSI要求と関連付けられるTTIの長さ、前記報告されていないCSI要求と関連付けられる複数の構成されたセルのためのそれぞれのセルインデックス、前記報告されていないCSI要求と関連付けられるそれぞれのトラフィックタイプ、またはこれらの組合せに少なくとも一部基づいて、前記報告されていないCSI要求を優先順位付けるように、前記プロセッサによって実行可能である、請求項53に記載の装置。
【請求項６８】
前記第2のTTI長と関連付けられるCSI報告に対する報告されていないCSI要求が、前記第1のTTI長と関連付けられるCSI報告に対する報告されていないCSI要求より優先される、請求項67に記載の装置。
【請求項６９】
前記装置に前記報告されていないCSI要求を優先順位付けさせるように前記プロセッサによって実行可能な前記命令が、前記装置に、
前記報告されていないCSI要求の第1のサブセットに対するCSI測定結果を更新させ、前記報告されていないCSI要求の第2のサブセットに対するCSI測定結果の更新を抑制させるように、前記プロセッサによって実行可能な命令を備える、請求項67に記載の装置。
【請求項７０】
前記命令が、
前記第1のTTI長と関連付けられる物理ダウンリンク共有チャネル(PDSCH)のリソース要素当たりエネルギー(EPRE)と第1の基準信号のEPREとの第1の比と、前記第2のTTI長と関連付けられるPDSCHのEPREと第2の基準信号のEPREとの第2の比とを特定させるように、前記プロセッサによって実行可能であり、前記CSI報告を生成することが前記第2の比に少なくとも一部基づく、請求項53に記載の装置。
【請求項７１】
前記第2の比が前記第1の比と等しい、請求項70に記載の装置。
【請求項７２】
前記第2の比が前記第1の比と異なる、請求項70に記載の装置。
【請求項７３】
前記装置に前記CSI報告を送信させるように前記プロセッサによって実行可能な前記命令が、前記装置に、
前記生成されたCSI報告によってパンクチャリングされる物理アップリンク共有チャネル(PUSCH)を送信させるように、前記プロセッサによって実行可能な命令を備える、請求項53に記載の装置。
【請求項７４】
前記第1のTTI長が第1のトラフィックタイプと関連付けられ、前記第2のTTI長が第2のトラフィックタイプと関連付けられる、請求項53に記載の装置。
【請求項７５】
第1の送信モードが、前記第1のTTI長または前記第1のトラフィックタイプを利用する通信のために構成され、前記第1の送信モードと異なる第2の送信モードが、前記第2のTTI長または前記第2のトラフィックタイプを利用する通信のために構成される、請求項74に記載の装置。
【請求項７６】
前記第2のTTI長と関連付けられる前記CSI報告に対する前記トリガを特定することが、前記第2のトラフィックタイプと関連付けられる非定期的なCSI報告トリガを受信することを備える、請求項74に記載の装置。
【請求項７７】
前記命令が、
前記第1のTTI長に対する非定期的なCSI報告が前記報告TTIのためにスケジューリングされることを決定し、
前記第2のTTI長に対する前記CSI報告と同時に、前記報告TTIにおいて前記第1のTTI長に対する前記非定期的なCSI報告を送信するように、前記プロセッサによって実行可能である、請求項53に記載の装置。
【請求項７８】
前記第2のTTI長を利用する通信と関連付けられる通信プロトコルが、超低レイテンシ(ULL)プロトコルまたは超高信頼性低レイテンシ通信(URLLC)プロトコルを備える、請求項53に記載の装置。
【請求項７９】
ワイヤレス通信のためのコードを記憶する非一時的コンピュータ可読記憶媒体であって、前記コードが、
第1の送信時間間隔(TTI)長および前記第1のTTI長より短い第2のTTI長を利用する通信のための構成を確立し、
前記第2のTTI長と関連付けられるチャネル状態情報(CSI)報告に対するトリガを特定し、
前記CSI報告のための基準リソースを特定し、前記基準リソースが、前記第2のTTI長を有するTTIを備え、前記第2のTTI長と関連付けられる報告構成に少なくとも一部基づいて特定され、
前記基準リソースに少なくとも一部基づいて前記CSI報告を生成し、
報告TTIの間に、前記特定されたトリガに応答して、前記CSI報告を送信するように、プロセッサによって実行可能な命令を備える、非一時的コンピュータ可読記憶媒体。
【発明の詳細な説明】
【技術分野】
【０００１】
相互参照
本特許出願は、2018年5月1日に出願された「Channel State Information Reporting For Systems With Multiple Transmission Time Intervals」という表題のHosseini他による米国特許出願第15/968,154号、および2017年5月2日に出願された「Channel State Information Reporting For Systems With Multiple Transmission Time Intervals」という表題のHosseini他による米国仮特許出願第62/500,472号の利益を主張し、これらの各々が本出願の譲受人に譲渡される。
【０００２】
以下は、全般にワイヤレス通信に関し、より詳細には、複数の送信時間間隔を伴うシステムのためのチャネル状態情報(CSI)の報告に関する。
【背景技術】
【０００３】
ワイヤレス通信システムは、音声、ビデオ、パケットデータ、メッセージング、ブロードキャストなどの、様々なタイプの通信コンテンツを提供するために広く展開されている。これらのシステムは、利用可能なシステムリソース(たとえば、時間、周波数、および電力)を共有することによって複数のユーザとの通信をサポートすることが可能であることがある。そのような多元接続システムの例には、符号分割多元接続(CDMA)システム、時分割多元接続(TDMA)システム、周波数分割多元接続(FDMA)システム、および直交周波数分割多元接続(OFDMA)システム、(たとえば、Long Term Evolution(LTE)システム、またはNew Radio(NR)システム)がある。ワイヤレス多元接続通信システムは、場合によってはユーザ機器(UE)として知られていることがある、複数の通信デバイスのための通信を各々が同時にサポートする、いくつかの基地局またはアクセスネットワークノードを含むことがある。
【発明の概要】
【発明が解決しようとする課題】
【０００４】
いくつかの場合、基地局は、基地局とUEとの間の通信リンクを首尾一貫して構成するために、UEからのフィードバックを利用し得る。たとえば、UEはCSI報告を使用してチャネル情報を基地局に送信することができ、CSI報告は定期的に送信されることがあり、または基地局により必要とされるときにトリガされることがある。CSI報告は、ある特定の送信時間間隔(TTI)にわたってUEにおいて受信される送信のためのチャネル条件と関連付けられる情報を提供し得る。しかしながら、一部のワイヤレスシステムは異なる時間長を有する異なるTTIを利用することがあり、そのようなシステムにおいて効率的なCSI報告処理を可能にする技法を実装することが望ましいことがある。
【課題を解決するための手段】
【０００５】
説明される技法は、複数の送信時間間隔(TTI)を伴うシステムのためのチャネル状態情報(CSI)の報告をサポートする、改善された方法、システム、デバイス、または装置に関する。一般に、説明される技法は、低レイテンシTTIおよび非低レイテンシTTIを利用するシステムにおいてCSI報告を可能にし、ここで、異なるトラフィックタイプのための(たとえば、レイテンシまたは信頼性のような異なる送信特徴)CSI報告は、いずれかのトラフィックタイプと関連付けられる単一のトリガを使用してトリガされ得る。いくつかの場合、トラフィックタイプは1つまたは複数のTTI長と関連付けられ得る。たとえば、ユーザ機器(UE)は、第1のTTI長(たとえば、1msのTTI、またはサブフレーム)を利用するLong Term Evolution(LTE)サービスなどの第1のトラフィックタイプ、および第1のTTI長より短い第2のTTI長(たとえば、短縮TTIまたはsTTI)を利用する第2のトラフィックタイプを介した通信のための構成を確立し得る。UEはまた、第2のトラフィックタイプと関連付けられるCSI報告に対するトリガ(たとえば、第2のTTI長と関連付けられるCSI報告に対するトリガ)を特定することができ、そして、第2のトラフィックタイプに対応するCSI報告のための基準リソースを特定することができる。基準リソースは、第2のTTI長を有するTTIを含むことがあり、第2のTTI長と関連付けられる報告構成に基づいて特定されることがある。たとえば、基準リソースは、第1のTTI長のTTI内に含まれることがあり、または、CSI報告のための報告TTIに基づいて特定されることがある。UEは、基準リソースに基づいてCSI報告を生成することができ、報告TTIの間に、特定されたトリガに応答して、CSI報告を送信することができる。いくつかの場合、UEは、報告されていないCSI要求の数が閾値(たとえば、CSI処理能力閾値)を超えることを決定することがあり、報告されていないCSI要求と関連付けられるトリガのタイミング、報告されていないCSI要求と関連付けられるトラフィックタイプの優先度、報告されていないCSI要求と関連付けられる報告TTIのタイミング、報告されていないCSI要求と関連付けられるTTIの長さなどに少なくとも一部基づいて、報告されていないCSI要求からのCSI報告の生成を優先順位付けることがある。
【０００６】
ワイヤレス通信の方法が説明される。方法は、第1のTTI長および第1のTTI長より短い第2のTTI長を利用する通信のための構成を確立するステップと、第2のTTI長と関連付けられるCSI報告に対するトリガを特定するステップと、CSI報告のための基準リソースを特定するステップであって、基準リソースが、第2のTTI長を有するTTIを含み、第2のTTI長と関連付けられる報告構成に基づいて特定される、ステップと、基準リソースに基づいてCSI報告を生成するステップと、報告TTIの間に、特定されたトリガに応答して、CSI報告を送信するステップとを含み得る。
【０００７】
ワイヤレス通信のための装置が説明される。装置は、プロセッサと、プロセッサと電子的に通信しているメモリと、メモリに記憶された命令とを含み得る。命令は、装置に、第1のTTI長および第1のTTI長より短い第2のTTI長を利用する通信のための構成を確立させ、第2のTTI長と関連付けられるCSI報告に対するトリガを特定させ、CSI報告のための基準リソースを特定させ、基準リソースが、第2のTTI長を有するTTIを含み、第2のTTI長と関連付けられる報告構成に基づいて特定され、基準リソースに基づいてCSI報告を生成させ、報告TTIの間に、特定されたトリガに応答して、CSI報告を送信させるように、プロセッサによって実行可能であり得る。
【０００８】
ワイヤレス通信のための別の装置が説明される。装置は、第1のTTI長および第1のTTI長より短い第2のTTI長を利用する通信のための構成を確立することと、第2のTTI長と関連付けられるCSI報告に対するトリガを特定することと、CSI報告のための基準リソースを特定することであって、基準リソースが、第2のTTI長を有するTTIを含み、第2のTTI長と関連付けられる報告構成に基づいて特定される、特定することと、基準リソースに基づいてCSI報告を生成することと、報告TTIの間に、特定されたトリガに応答して、CSI報告を送信することのための手段を含み得る。
【０００９】
ワイヤレス通信のためのコードを記憶する非一時的コンピュータ可読媒体が説明される。コードは、第1のTTI長および第1のTTI長より短い第2のTTI長を利用する通信のための構成を確立し、第2のTTI長と関連付けられるCSI報告に対するトリガを特定し、CSI報告のための基準リソースを特定し、基準リソースが、第2のTTI長を有するTTIを含み、第2のTTI長と関連付けられる報告構成に基づいて特定され、基準リソースに基づいてCSI報告を生成し、報告TTIの間に、特定されたトリガに応答して、CSI報告を送信するように、プロセッサによって実行可能な命令を含み得る。
【００１０】
本明細書で説明される方法、装置、および非一時的コンピュータ可読媒体のいくつかの例では、トリガを特定することは、第1のTTIにおいて非定期的なCSI報告トリガを含む第1のTTI長と関連付けられるDCIメッセージを受信するための動作、特徴、手段、または命令を含み得る。本明細書で説明される方法、装置、および非一時的コンピュータ可読媒体のいくつかの例はさらに、インデックス付けされたエントリのセットを含む非定期的なCSI報告トリガ構成を受信するための動作、特徴、手段、または命令を含むことがあり、インデックス付けされたエントリのセットのうちの少なくとも1つが、第2のTTI長のためのCSI報告のトリガを示し、DCIメッセージが、インデックス付けされたエントリのセットのうちの1つに対するインデックスを含む。
【００１１】
本明細書で説明される方法、装置、および非一時的コンピュータ可読媒体のいくつかの例では、報告構成は、第1のTTI内にあり得る第2のTTI長の構成されたTTIを含む。本明細書で説明される方法、装置、および非一時的コンピュータ可読媒体のいくつかの例では、報告構成は、基準リソースが報告TTIに先行するような第2のTTI長のTTIの数を含む。本明細書で説明される方法、装置、および非一時的コンピュータ可読媒体のいくつかの例では、トリガを特定することは、非定期的なCSI報告トリガを含む第2のTTI長と関連付けられるDCIメッセージを受信するための動作、特徴、手段、または命令を含み得る。
【００１２】
本明細書で説明される方法、装置、および非一時的コンピュータ可読媒体のいくつかの例では、非定期的なCSI報告トリガは、第1のTTI長と関連付けられる第2のCSI報告が報告TTIにおいてCSI報告とともに送信されることをトリガし、報告TTIは第2のTTI長を有する。本明細書で説明される方法、装置、および非一時的コンピュータ可読媒体のいくつかの例では、第2のTTI長のTTIの第1のセットは第1の数のシンボルを有することがあり、第2のTTI長のTTIの第2のセットは第2の数のシンボルを有することがあり、基準リソースに基づいてCSI報告を生成することはさらに、TTIの第1のセットおよびTTIの第2のセットのために第1の数のシンボルに基づいてCSI報告を生成するための動作、特徴、手段、または命令を含むことがある。
【００１３】
本明細書で説明される方法、装置、および非一時的コンピュータ可読媒体のいくつかの例では、CSI報告を生成することは、基準リソースに基づいて第2のTTI長と関連付けられるチャネル品質インジケータ(CQI)を決定するための動作、特徴、手段、または命令を含み得る。本明細書で説明される方法、装置、および非一時的コンピュータ可読媒体のいくつかの例では、通信のための構成は、第1のTTI長より短く第2のTTI長と異なることがある、第3のTTI長を利用する。本明細書で説明される方法、装置、および非一時的コンピュータ可読媒体のいくつかの例では、CSI報告を生成することは、基準リソースに基づいて第3のTTI長と関連付けられる第2のCQIを決定するための動作、特徴、手段、または命令を含み得る。本明細書で説明される方法、装置、および非一時的コンピュータ可読媒体のいくつかの例では、CSI報告を生成することは、基準リソースが第3のTTI長を有し得ることを決定し、基準リソースに先行する第2のTTI長を有するTTIへと基準リソースを合わせるための動作、特徴、手段、または命令を含み得る。
【００１４】
本明細書で説明される方法、装置、および非一時的コンピュータ可読媒体のいくつかの例はさらに、制御チャネルオーバーヘッドの不在、所定の量の制御チャネルオーバーヘッド、トリガと関連付けられるTTIにおける制御チャネルオーバーヘッドの量、または、第1のTTI長に対する第2のTTI長の比および第1のTTI長に対して利用可能なリソース要素の数から決定される利用可能なリソース要素の数に基づいてCQIを決定するための動作、特徴、手段、または命令を含み得る。本明細書で説明される方法、装置、および非一時的コンピュータ可読媒体のいくつかの例はさらに、CSI処理能力をシグナリングするための動作、特徴、手段、または命令を含むことがあり、CSI処理能力は、第1のTTI長のためのサポートされるCSI処理の第1の数および第2のTTI長のためのサポートされるCSI処理の第2の数を示す。
【００１５】
本明細書で説明される方法、装置、および非一時的コンピュータ可読媒体のいくつかの例はさらに、報告されていないCSI要求の数がCSI処理能力閾値を超えることを決定し、報告されていないCSI要求と関連付けられるトリガのタイミング、報告されていないCSI要求と関連付けられる報告TTIのタイミング、報告されていないCSI要求と関連付けられるTTIの長さ、報告されていないCSI要求と関連付けられる構成されるセルのセットのためのそれぞれのセルインデックス、報告されていないCSI要求と関連付けられるそれぞれのトラフィックタイプ、またはこれらの組合せに基づいて、報告されていないCSI要求を優先順位付けるための動作、特徴、手段、または命令を含み得る。本明細書で説明される方法、装置、および非一時的コンピュータ可読媒体のいくつかの例では、第2のTTI長と関連付けられるCSI報告に対する報告されていないCSI要求は、第1のTTI長と関連付けられるCSI報告に対する報告されていないCSI要求より優先され得る。
【００１６】
本明細書で説明される方法、装置、および非一時的コンピュータ可読媒体のいくつかの例では、報告されていないCSI要求を優先順位付けることは、報告されていないCSI要求の第1のサブセットに対するCSI測定結果を更新し、報告されていないCSI要求の第2のサブセットに対するCSI測定結果の更新を抑制するための動作、特徴、手段、または命令を含み得る。本明細書で説明される方法、装置、および非一時的コンピュータ可読媒体のいくつかの例はさらに、第1のTTI長に対する定期的なCSI報告が報告TTIのためにスケジューリングされ得ることを決定し、第2のTTI長に対するCSI報告と同時に報告TTIにおいて第1のTTI長に対する定期的なCSI報告を送信するための動作、特徴、手段、または命令を含み得る。
【００１７】
本明細書で説明される方法、装置、および非一時的コンピュータ可読媒体のいくつかの例はさらに、第1のTTI長と関連付けられるPDSCHのリソース要素当たりエネルギー(EPRE: energy per resource element)と第1の基準信号のEPREとの第1の比、および、第2のTTI長と関連付けられるPDSCHのEPREと第2の基準信号のEPREとの第2の比を特定するための動作、特徴、手段、または命令を含むことがあり、CSI報告を生成することは第2の比に基づくことがある。本明細書で説明される方法、装置、および非一時的コンピュータ可読媒体のいくつかの例では、第2の比は第1の比と等しいことがある。本明細書で説明される方法、装置、および非一時的コンピュータ可読媒体のいくつかの例では、第2の比は第1の比と異なることがある。本明細書で説明される方法、装置、および非一時的コンピュータ可読媒体のいくつかの例では、CSI報告を送信することは、生成されるCSI報告によってパンクチャリングされるPUSCHを送信するための動作、特徴、手段、または命令を含み得る。本明細書で説明される方法、装置、および非一時的コンピュータ可読媒体のいくつかの例では、第1のTTI長は第1のトラフィックタイプと関連付けられることがあり、第2のTTI長は第2のトラフィックタイプと関連付けられることがある。
【００１８】
本明細書で説明される方法、装置、および非一時的コンピュータ可読媒体のいくつかの例では、第1の送信モードは、第1のTTI長または第1のトラフィックタイプを利用する通信のために構成されることがあり、第1の送信モードと異なり得る第2の送信モードは、第2のTTI長または第2のトラフィックタイプを利用する通信のために構成されることがある。本明細書で説明される方法、装置、および非一時的コンピュータ可読媒体のいくつかの例では、第2のTTI長と関連付けられるCSI報告に対するトリガを特定することは、第2のトラフィックタイプと関連付けられる非定期的なCSI報告トリガを受信することを含む。本明細書で説明される方法、装置、および非一時的コンピュータ可読媒体のいくつかの例では、第2のTTI長を利用する通信と関連付けられる通信プロトコルは、超低レイテンシ(ULL)プロトコルまたは超高信頼性低レイテンシ通信(URLLC)プロトコルを含む。
【図面の簡単な説明】
【００１９】
【図１】本開示の態様による、複数の送信時間間隔を伴うシステムのためのCSI報告をサポートするワイヤレス通信のためのシステムの例を示す図である。
【図２】本開示の態様による、複数の送信時間間隔を伴うシステムのためのCSI報告をサポートするワイヤレス通信システムの例を示す図である。
【図３】本開示の態様による、複数の送信時間間隔を伴うシステムのためのチャネル状態情報(CSI)の報告をサポートするサブフレーム構造300の例を示す図である。
【図４】本開示の態様による、複数の送信時間間隔を伴うシステムのためのCSI報告をサポートするサブフレーム構造400の例を示す図である。
【図５】本開示の態様による、複数の送信時間間隔を伴うシステムのためのCSI報告をサポートするプロセスフローの例を示す図である。
【図６】本開示の態様による、複数の送信時間間隔を伴うシステムのためのCSI報告をサポートするデバイスのブロック図である。
【図７】本開示の態様による、複数の送信時間間隔を伴うシステムのためのCSI報告をサポートするデバイスのブロック図である。
【図８】本開示の態様による、複数の送信時間間隔を伴うシステムのためのCSI報告をサポートするデバイスのブロック図である。
【図９】本開示の態様による、複数の送信時間間隔を伴うシステムのためのCSI報告をサポートするユーザ機器(UE)を含むシステムのブロック図である。
【図１０】本開示の態様による、複数の送信時間間隔を伴うシステムのためのCSI報告の方法を示す図である。
【図１１】本開示の態様による、複数の送信時間間隔を伴うシステムのためのCSI報告の方法を示す図である。
【図１２】本開示の態様による、複数の送信時間間隔を伴うシステムのためのCSI報告の方法を示す図である。
【発明を実施するための形態】
【００２０】
ワイヤレス通信システムにおいて、チャネル状態情報(CSI)の報告は、基地局への通信リンクに関する情報を提供することがあり、CSIは、リンクを介した信号の受信と関連付けられるユーザ機器(UE)によって決定される情報(たとえば、ランクインジケータ(RI)、プリコーディング行列インジケータ(PMI)、チャネル品質インジケータ(CQI)など)を含むことがある。加えて、ワイヤレス通信システムは、LTEサービス、超低レイテンシ(ULL)サービス、または超高信頼性低レイテンシ通信(URLLC)サービスなどの、複数の通信サービスを提供することがある。いくつかの場合、異なるサービスは異なる送信時間間隔(TTI)に対応することがある。たとえば、LTEサービスに対応するTTI(たとえば、第1のTTI長)は1msのTTIを有することがあり、一方でULLサービスまたはURLLCサービスは、1ms未満の時間長(たとえば、スロット、2つのシンボルなど)を有する短縮TTI(sTTI)(たとえば、第2のTTI長)を有することがある。UEは、後続のスケジューリングおよび送信に必要な情報を提供するために、CSI報告を基地局に送信し得る。したがって、2つ以上のタイプのサービスまたはTTI長に対応する基地局にCSI報告を提供するための方法を提供することが有益であり得る。
【００２１】
CSI報告は、定期的または非定期的である(たとえば、基地局からのシグナリングによってトリガされる)ことがある。たとえば、UEは基地局からCSIトリガを受信することがあり、このことが、非定期的なCSI報告に使用されるCSI測定を開始することがある。いくつかの例では、1つのトリガが、複数のタイプのサービスまたはTTI長に対するCSI測定を開始し得る。たとえば、ダウンリンク制御情報(DCI)メッセージ(たとえば、1msのTTIと関連付けられるDCIメッセージ、またはレガシーのDCI)が、1msのTTIのためのCSI報告をトリガし、ULLサービス、URLLCサービス、または両方と関連付けられるsTTIのためのCSI報告(本明細書ではsCSIまたはsCSI報告と呼ばれ得る)をトリガし得る。他の例では、別個のトリガが、異なるタイプのサービスまたは異なるTTI長に対するCSI測定を開始することがある。たとえば、異なるTTI長を介したCSI測定をトリガするために、異なるDCIフォーマットが(たとえば、基地局によって)使用されることがある(たとえば、異なるDCIフォーマットが、異なるTTI長を利用する異なる通信またはトラフィックタイプに対するCSI報告を要求することがある)。
【００２２】
UEは、トリガを受信し、報告のタイプを特定し、次いで、CSI測定をその間に行うことができる基準リソースを特定し得る。ULLおよび/またはURLLC CSI報告のために、基準リソースは、トリガがその間に受信されたサブフレーム(たとえば、トリガDCIが受信されるTTI内のsTTI)内に位置し得る。代わりに、基準リソースは、CSI報告が送信されるであろうサブフレームのより近くに位置することがあり、これにより、報告されるCSIがより最近のCSI測定に基づくことが可能になり得る。いくつかの場合、sTTIは長さが異なることがあり、UEは、CQIインデックス付けの整列を達成するために、sTTI基準リソース内のシンボルの数に関する想定を行い得る。
【００２３】
UEはある数のCSI処理に限定されることもあり、このとき、これらの処理は、複数のキャリアまたは単一のキャリアにわたって共有されることがあり、UEは複数のサービスにわたってCSI処理を分散させることがある。したがって、UEは、受信されたCSI要求の数が制限(たとえば、UE CSI処理能力)を超える場合、報告されていないCSI要求を優先し得る。たとえば、UEは、報告されていないCSI要求と関連付けられるトリガが受信された時間、報告されていないCSI要求と関連付けられるTTIの長さ(たとえば、sTTI長対TTI長などの、基準リソースの長さ)などに従って、CSI測定を優先順位付け、最高でUEのCSI処理能力までCSI測定を実行し得る。基準リソースを特定し、CSI測定を行うと、UEは、CSI報告を生成し、報告を基地局に送信し得る。UEのCSI処理能力を超える、より優先度の低い報告されていないCSI要求(たとえば、sTTIと関連付けられる要求より低い優先度を有し得る、TTIと関連付けられる要求)と関連付けられる更新された測定結果は、CSI報告に含まれないことがある(たとえば、UE CSI処理能力を超えるより優先度の低いCSI要求と関連付けられるCSI測定結果は更新されないことがある)。CSI報告は、UEのCSI処理能力を超えない、任意の数のより優先度の高いCSI要求に対する更新された測定結果を含み得る。より優先度の高い報告されていないCSI要求と関連付けられる更新された測定結果は、CSI処理能力を超えない場合、CSI報告に含まれることがある。
【００２４】
本開示の態様は、最初にワイヤレス通信システムの文脈で説明される。本開示の態様はさらに、複数の送信時間間隔を伴うシステムのためのCSI報告に関する装置図、システム図、およびフローチャートによって示され、それらを参照して説明される。
【００２５】
図1は、本開示の様々な態様によるワイヤレス通信システム100の例を示す。ワイヤレス通信システム100は、基地局105と、UE115と、コアネットワーク130とを含む。いくつかの例では、ワイヤレス通信システム100は、Long Term Evolution(LTE)ネットワーク、LTE Advanced(LTE-A)ネットワーク、またはNew Radio(NR)ネットワークであり得る。いくつかの場合、ワイヤレス通信システム100は、拡張ブロードバンド通信、超高信頼(すなわち、ミッションクリティカル)通信、低レイテンシ通信、および低コストかつ低複雑度のデバイスとの通信をサポートすることがある。いくつかの場合、ワイヤレス通信システム100は、第1のTTIを利用する第1のトラフィックタイプ、および第1のTTI長より短い第2のTTI長を利用する第2のトラフィックタイプを介した通信のための、構成の確立をサポートし得る。いくつかの場合、第1または第2のトラフィックタイプは、1つまたはいくつかの異なるTTI長と関連付けられ得る。UEは、CSI報告に対するトリガを特定し、CSI報告のための基準リソースを特定し、報告TTIの間に基準リソースに少なくとも一部基づいてCSI報告を生成し送信し得る。
【００２６】
基地局105は、1つまたは複数の基地局アンテナを介してUE115とワイヤレスに通信することがある。各基地局105は、それぞれの地理的カバレッジエリア110に通信カバレッジを提供することがある。ワイヤレス通信システム100において示される通信リンク125は、UE115から基地局105へのアップリンク送信または基地局105からUE115へのダウンリンク送信を含むことがある。制御情報およびデータは、様々な技法に従ってアップリンクチャネル上またはダウンリンクチャネル上で多重化され得る。制御情報およびデータは、たとえば、時分割多重(TDM)技法、周波数分割多重(FDM)技法、またはハイブリッドTDM-FDM技法を使用して、ダウンリンクチャネル上で多重化され得る。いくつかの例では、ダウンリンクチャネルのTTIの間に送信される制御情報は、カスケード方式で異なる制御領域の間で(たとえば、共通制御領域と1つまたは複数のUE固有制御領域との間で)分散され得る。
【００２７】
UE115は、ワイヤレス通信システム100の全体にわたって分散されることがあり、各UE115は、固定式または移動式であり得る。UE115は、移動局、加入者局、モバイルユニット、加入者ユニット、ワイヤレスユニット、リモートユニット、モバイルデバイス、ワイヤレスデバイス、ワイヤレス通信デバイス、リモートデバイス、移動加入者局、アクセス端末、モバイル端末、ワイヤレス端末、リモート端末、ハンドセット、ユーザエージェント、モバイルクライアント、クライアント、または何らかの他の好適な用語で呼ばれることもある。UE115はまた、携帯電話、携帯情報端末(PDA)、ワイヤレスモデム、ワイヤレス通信デバイス、ハンドヘルドデバイス、タブレットコンピュータ、ラップトップコンピュータ、コードレスフォン、パーソナル電子デバイス、ハンドヘルドデバイス、パーソナルコンピュータ、ワイヤレスローカルループ(WLL)局、Internet of Things(IoT)デバイス、Internet of Everything(IoE)デバイス、マシンタイプ通信(MTC)デバイス、機器、自動車などであり得る。
【００２８】
いくつかの場合、UE115はまた、(たとえば、ピアツーピア(P2P)またはデバイスツーデバイス(D2D)プロトコルを使用して)他のUE115と直接通信することが可能であり得る。D2D通信を利用するUE115のグループのうちの1つまたは複数は、セルの地理的カバレッジエリア110内にあり得る。そのようなグループ内の他のUE115は、セルの地理的カバレッジエリア110の外にあるか、または別様に基地局105からの送信を受信できないことがある。いくつかの場合、D2D通信を介して通信するUE115のグループは、各UE115がグループの中のすべての他のUE115に送信する1対多(1:M)システムを利用し得る。いくつかの場合、基地局105は、D2D通信のためのリソースのスケジューリングを容易にする。他の場合には、D2D通信は、基地局105とは無関係に実行される。
【００２９】
基地局105は、チャネルを効率的に構成およびスケジューリングするために、UE115からチャネル条件情報を収集し得る。この情報は、CSIの形でUE115から送信され得る。CSIは、ダウンリンク送信のために使用されるべきレイヤの数(たとえば、UE115のアンテナポートに基づく)を要求するRI、プリコーダ行列が使用されるべき優先度(レイヤの数に基づく)を示すPMI、ならびに、使用され得る最高の変調およびコーディング方式(MCS)を表すCQIを含み得る。CQIは、共通基準信号(CRS)またはCSI-RSなど所定のパイロットシンボルを受信した後、UE115によって計算され得る。報告に含まれる情報のタイプが、報告タイプを決定する。加えて、CSIは定期的または非定期的であり得る。すなわち、基地局105は、定期的な報告を一定の間隔で送信するようにUE115を構成することができ、必要に応じて(たとえば、DCIを使用して)追加の報告を要求することもできる。非定期的な報告は、セル帯域幅全体にわたってチャネル品質を示す広帯域報告、最良のサブバンドのサブセットを示す、UEにより選択される報告、または、報告されるサブバンドが基地局105によってその中で選択される、構成された報告を含み得る。
【００３０】
MTCデバイスまたはIoTデバイスなどのいくつかのUE115は、低コストまたは低複雑度のデバイスであってよく、機械間の自動化された通信、すなわち、マシンツーマシン(M2M)通信を提供し得る。M2MまたはMTCは、人が介在することなく、デバイスが互いとまたは基地局と通信することを可能するデータ通信技術を指すことがある。たとえば、M2MまたはMTCは、センサーまたはメーターを組み込んで情報を測定またはキャプチャし、その情報を利用することができる中央サーバもしくはアプリケーションプログラムにその情報を中継するか、またはプログラムもしくはアプリケーションと対話する人間に情報を提示するデバイスからの通信を指すことがある。いくつかのUE115は、情報を収集するように、または機械の自動化された動作を可能にするように、設計され得る。MTCデバイスの用途の例には、スマートメータリング、在庫モニタリング、水位モニタリング、機器モニタリング、医療モニタリング、野生生物モニタリング、天候および地質学的事象モニタリング、船団管理および追跡、リモートセキュリティ検知、物理的アクセス制御、ならびに取引ベースのビジネス課金がある。
【００３１】
いくつかの場合、MTCデバイスは、低減されたピークレートで半二重(一方向)通信を使用して動作し得る。MTCデバイスはまた、アクティブな通信に関与していないときに電力節約「ディープスリープ」モードに入るように構成され得る。いくつかの場合には、MTCまたはIoTデバイスは、ミッションクリティカル機能をサポートするように設計されることがあり、ワイヤレス通信システムは、これらの機能のための超高信頼通信を提供するように構成されることがある。
【００３２】
基地局105は、コアネットワーク130と、および互いと通信し得る。たとえば、基地局105は、バックホールリンク132(たとえば、S1など)を通じてコアネットワーク130とインターフェースし得る。基地局105は、バックホールリンク134(たとえば、X2など)を介して、直接または間接的に(たとえば、コアネットワーク130を通じて)のいずれかで互いと通信し得る。基地局105は、UE115との通信のための無線構成およびスケジューリングを実行し得るか、または基地局コントローラ(図示せず)の制御下で動作し得る。いくつかの例では、基地局105は、マクロセル、スモールセル、ホットスポットなどであってよい。基地局105は、evolved NodeB(eNB)105と呼ばれることもある。
【００３３】
基地局105は、S1インターフェースによってコアネットワーク130に接続され得る。コアネットワークはevolved packet core(EPC)であってよく、EPCは、少なくとも1つのモビリティ管理エンティティ(MME)と、少なくとも1つのサービングゲートウェイ(S-GW)と、少なくとも1つのパケットデータネットワーク(PDN)ゲートウェイ(P-GW)とを含んでよい。MMEは、UE115とEPCとの間のシグナリングを処理する制御ノードであってよい。すべてのユーザインターネットプロトコル(IP)パケットは、それ自体がP-GWに接続され得るS-GWを通じて転送され得る。P-GWは、IPアドレス割振りならびに他の機能を提供し得る。P-GWは、ネットワーク事業者のIPサービスに接続され得る。事業者のIPサービスは、インターネット、イントラネット、IPマルチメディアサブシステム(IMS)、およびパケット交換(PS)ストリーミングサービスを含み得る。
【００３４】
コアネットワーク130は、ユーザ認証、アクセス許可、追跡、インターネットプロトコル(IP)接続、および他のアクセス機能、ルーティング機能、またはモビリティ機能を提供し得る。基地局105-aなどのネットワークデバイスのうちの少なくともいくつかは、アクセスノードコントローラ(ANC)の例であり得る、アクセスネットワークエンティティなどの副構成要素を含み得る。各アクセスネットワークエンティティは、その各々がスマートラジオヘッド、または送受信ポイント(TRP)の例であり得る、いくつかの他のアクセスネットワーク送信エンティティを通じて、いくつかのUE115と通信し得る。いくつかの構成では、各アクセスネットワークエンティティまたは基地局105の様々な機能が、様々なネットワークデバイス(たとえば、ラジオヘッドおよびアクセスネットワークコントローラ)にわたって分散されること、または単一のネットワークデバイス(たとえば、基地局105)に統合されることがある。
【００３５】
ワイヤレス通信システム100は、700MHzから2600MHz(2.6GHz)までの周波数帯域を使用する極高周波(UHF)周波数領域の中で動作し得るが、いくつかのネットワーク(たとえば、ワイヤレスローカルエリアネットワーク(WLAN))は、4GHz程度の高い周波数を使用し得る。この領域は、波長がほぼ1デシメートルから1メートルの長さにわたるので、デシメートル帯域と呼ばれることもある。UHF波は、主に見通し線によって伝搬することがあり、建物および環境的な地物によって遮断されることがある。しかしながら、その波は、屋内に位置するUE115にサービスを提供するのに十分に壁を貫通し得る。UHF波の送信は、スペクトルの高周波(HF)または超高周波(VHF)部分のより小さい周波数(および、より長い波)を使用する送信と比較して、より小型のアンテナおよびより短い距離(たとえば、100km未満)によって特徴付けられる。いくつかの場合、ワイヤレス通信システム100は、スペクトルの極高周波(EHF)部分(たとえば、30GHzから300GHzまで)も利用し得る。この領域は、波長がほぼ1ミリメートルから1センチメートルの長さにわたるので、ミリメートル帯域として知られていることもある。したがって、EHFアンテナは、UHFアンテナよりもさらに小型であり、より間隔が密であり得る。場合によっては、このことは、UE115内の(たとえば、指向性ビームフォーミングのための)アンテナアレイの使用を容易にし得る。しかしながら、EHF送信は、UHF送信よりもさらに大きい大気減衰を受けることがあり距離が短いことがある。
【００３６】
したがって、ワイヤレス通信システム100は、UE115と基地局105との間のミリ波(mmW)通信をサポートし得る。mmW帯域またはEHF帯域の中で動作するデバイスは、ビームフォーミングを可能にするための複数のアンテナを有し得る。すなわち、基地局105は、UE115との指向性通信のためのビームフォーミング動作を行うために、複数のアンテナまたはアンテナアレイを使用し得る。ビームフォーミング(空間フィルタリングまたは指向性送信と呼ばれることもある)とは、ターゲット受信機(たとえば、UE115)の方向にアンテナビーム全体を整形および/またはステアリングするために、送信機(たとえば、基地局105)において使用され得る信号処理技法である。これは、特定の角度における送信信号が、強め合う干渉を受ける一方、他の角度における送信信号が、弱め合う干渉を受けるような方法で、アンテナアレイにおける要素を組み合わせることによって達成され得る。
【００３７】
多入力多出力(MIMO)ワイヤレスシステムは、送信機と受信機の両方が複数のアンテナを装備する送信方式を、送信機(たとえば、基地局105)と受信機(たとえば、UE115)との間で使用する。ワイヤレス通信システム100のいくつかの部分は、ビームフォーミングを使用し得る。たとえば、基地局105は、基地局105がUE115とのその通信においてビームフォーミングのために使用し得るアンテナポートのいくつかの行および列を有するアンテナアレイを有し得る。信号は、異なる方向に複数回送信され得る(たとえば、各送信は、異なるようにビームフォーミングされ得る)。mmW受信機(たとえば、UE115)は、同期信号を受信しながら複数のビーム(たとえば、アンテナサブアレイ)を試行し得る。
【００３８】
いくつかの場合、基地局105またはUE115のアンテナは、ビームフォーミングまたはMIMO動作をサポートし得る、1つまたは複数のアンテナアレイ内に位置し得る。1つまたは複数の基地局アンテナまたはアンテナアレイは、アンテナタワーなどのアンテナアセンブリにおいて一緒に置かれ得る。いくつかの場合、基地局105と関連付けられるアンテナまたはアンテナアレイは、多様な地理的位置に位置し得る。基地局105は、UE115との指向性通信のためのビームフォーミング動作を行うために、複数のアンテナまたはアンテナアレイを使用し得る。
【００３９】
いくつかの場合、ワイヤレス通信システム100は、階層化プロトコルスタックに従って動作するパケットベースネットワークであり得る。ユーザプレーンでは、ベアラまたはパケットデータコンバージェンスプロトコル(PDCP)レイヤにおける通信は、IPベースであり得る。いくつかの場合、無線リンク制御(RLC)レイヤが、論理チャネルを介して通信するためにパケットのセグメンテーションおよびリアセンブリを実行し得る。媒体アクセス制御(MAC)レイヤは、優先処理、およびトランスポートチャネルへの論理チャネルの多重化を実行し得る。MACレイヤは、リンク効率を改善するために、ハイブリッド自動再送要求(HARQ)を使用して、MACレイヤにおける再送信を実現することもできる。制御プレーンでは、無線リソース制御(RRC)プロトコルレイヤが、ユーザプレーンデータのための無線ベアラをサポートする、UE115とネットワークデバイスまたはコアネットワーク130との間のRRC接続の確立、構成、および保守を行い得る。物理(PHY)レイヤにおいて、トランスポートチャネルは物理チャネルにマッピングされ得る。
【００４０】
LTEまたはNRにおける時間間隔は、(Ts=1/30,720,000秒のサンプリング周期であり得る)基本時間単位の倍数で表され得る。時間リソースは、0から1023にわたるシステムフレーム番号(SFN)によって識別され得る、10ms(Tf=307200Ts)の長さの無線フレームに従って編成され得る。各フレームは、0から9の番号を付けられた10個の1msサブフレームを含み得る。サブフレームはさらに、2つの0.5msスロットに分割されることがあり、スロットの各々は、(各シンボルの先頭に付加されたサイクリックプレフィックスの長さに応じて)6個または7個の変調シンボル期間を含む。サイクリックプレフィックスを除いて、各シンボルは2048個のサンプル期間を含む。いくつかの場合、サブフレームは、TTIとも呼ばれる最小のスケジューリング単位であり得る。他の場合には、TTIは、サブフレームよりも短くてよく、または(たとえば、短いTTIバーストにおいて、もしくは短いTTIを使用する選択されたコンポーネントキャリア(CC)において)動的に選択されることがある。
【００４１】
リソース要素は、1つのシンボル期間および1つのサブキャリア(たとえば、15kHz周波数範囲)からなり得る。リソースブロックは、周波数領域の中に12個の連続サブキャリアを含むことがあり、各直交周波数分割多重化(OFDM)シンボル中のノーマルサイクリックプレフィックスについて、時間領域(1スロット)の中に7つの連続OFDMシンボル、または84個のリソース要素を含むことがある。各リソース要素によって搬送されるビットの数は、変調方式(各シンボル期間の間に選択され得るシンボルの構成)に依存し得る。したがって、UEが受信するリソースブロックが多いほど、また変調方式が高いほど、データレートは高くなり得る。
【００４２】
ワイヤレス通信システム100は、複数のセルまたはキャリア上での動作、すなわち、キャリアアグリゲーション(CA)またはマルチキャリア動作と呼ばれることがある機能をサポートし得る。キャリアは、コンポーネントキャリア(CC)、レイヤ、チャネルなどと呼ばれることもある。「キャリア」、「コンポーネントキャリア」、「セル」、および「チャネル」という用語は、本明細書で互換的に使用されることがある。UE115は、キャリアアグリゲーションのために、複数のダウンリンクCCと1つまたは複数のアップリンクCCとで構成され得る。キャリアアグリゲーションは、周波数分割複信(FDD)CCと時分割複信(TDD)CCの両方とともに使用され得る。
【００４３】
いくつかの場合、ワイヤレス通信システム100は、拡張コンポーネントキャリア(eCC)を利用し得る。eCCは、より広い帯域幅、より短いシンボル時間長、より短いTTI、および修正された制御チャネル構成を含む、1つまたは複数の機能によって特徴付けられ得る。いくつかの場合、eCCは、(たとえば、複数のサービングセルが準最適または非理想的なバックホールリンクを有するとき)キャリアアグリゲーション構成またはデュアル接続構成と関連付けられ得る。eCCはまた、(2つ以上の事業者がスペクトルを使用することを許可された場合)免許不要スペクトルまたは共有スペクトルにおいて使用するために構成され得る。広い帯域幅によって特徴付けられるeCCは、全帯域幅を監視することが可能でないか、または(たとえば、電力を節約するために)限られた帯域幅を使用することを選好する、UE115によって利用され得る1つまたは複数のセグメントを含み得る。
【００４４】
いくつかの場合、eCCは、他のCCのシンボル時間長と比較して低減されたシンボル時間長の使用を含み得る、他のCCとは異なるシンボル時間長を利用し得る。より短いシンボル時間長は、サブキャリア間隔の増大と関連付けられる。eCCを利用する、UE115または基地局105などのデバイスが、低減されたシンボル時間長(たとえば、16.67マイクロ秒)で、広帯域信号(たとえば、20、40、60、80MHzなど)を送信し得る。eCC中のTTIは、1つまたは複数のシンボルからなることがある。いくつかの場合、TTI時間長(すなわち、TTIの中のシンボルの数)は可変であり得る。
【００４５】
共有無線周波数スペクトル帯域は、NR共有スペクトルシステムにおいて利用され得る。たとえば、NR共有スペクトルは、とりわけ、免許スペクトル、共有スペクトル、および免許不要スペクトルのあらゆる組合せを利用し得る。eCCシンボル時間長およびサブキャリア間隔の柔軟性は、複数のスペクトルにわたるeCCの使用を可能にし得る。いくつかの例では、特にリソースの動的な垂直方向(たとえば、周波数にわたる)および水平方向(たとえば、時間にわたる)の共有によって、NR共有スペクトルは、スペクトル利用率およびスペクトル効率を高め得る。
【００４６】
いくつかの場合、ワイヤレス通信システム100は、免許無線周波数スペクトル帯域と免許不要無線周波数スペクトル帯域の両方を利用し得る。たとえば、ワイヤレス通信システム100は、5GHz Industrial, Scientific, and Medical(ISM)帯域などの免許不要帯域においてLTE License Assisted Access(LTE-LAA)もしくはLTE Unlicensed(LTE U)無線アクセス技術またはNR技術を利用し得る。免許不要無線周波数スペクトル帯域において動作するとき、基地局105およびUE115などのワイヤレスデバイスは、データを送信する前にチャネルがクリアであることを保証するためにlisten-before-talk(LBT)手順を利用し得る。いくつかの場合、免許不要帯域における動作は、免許帯域において動作するCCと連携したCA構成に基づき得る。免許不要スペクトルにおける動作は、ダウンリンク送信、アップリンク送信、または両方を含み得る。免許不要スペクトルにおける複信は、FDD、TDD、またはその両方の組合せに基づき得る。
【００４７】
いくつかの例では、ワイヤレス通信システム100は、低レイテンシTTIおよび非低レイテンシTTIのためのCSI報告をサポートし得る。UE115は、第1のTTI長(たとえば、1msのTTI、またはサブフレーム)を利用する第1のトラフィックタイプ(LTEなど)、および第1のTTI長より短い第2のTTI長(たとえば、短縮TTIまたはsTTI)を利用する第2のトラフィックタイプ(ULL、URLLC他など)を介した、通信のための構成を確立し得る。いくつかの場合、第1のトラフィックタイプまたは第2のトラフィックタイプの各々は、1つまたは複数の異なるTTI長をサポートするために構成され得る。UE115は、第1のトラフィックタイプまたは第2のトラフィックタイプのいずれかと関連付けられるCSI報告に対するトリガを特定し得る。CSI報告に対するトリガは、別々である(たとえば、異なるトラフィックタイプと関連付けられる制御チャネルにおいて搬送される)ことがあり、タイプにまたがってスケジューリングされる(たとえば、あるトラフィックタイプに対するトリガが、異なるトラフィックタイプと関連付けられるTTIまたは制御チャネルにおいて受信され得る)ことがあり、または共同である(たとえば、複数のトラフィックタイプに対するトリガが1つのトラフィックタイプと関連付けられるTTIまたは制御チャネルにおいて受信される)ことがある。たとえば、UEは、第2のトラフィックタイプと関連付けられるCSI報告に対するトリガ(たとえば、第2のTTI長にわたるCSI測定結果に対する要求)を特定することができ、そして、第2のトラフィックタイプに対応するCSI報告のための基準リソースを特定することができる。基準リソースは、第2のTTI長を有するTTIを含むことがあり、第2のTTI長と関連付けられる報告構成に基づいて特定されることがある。たとえば、基準リソースは、第2のTTI長のTTIであることがあり、または、第1のTTI長のTTIの一部分であることがある。基準リソースは、CSI報告のための報告TTIに基づいて特定され得る。UE115は、基準リソースに基づいてCSI報告を生成することができ、報告TTIの間に、特定されたトリガに応答して、CSI報告を送信することができる。
【００４８】
図2は、本開示の様々な態様による、複数の送信時間間隔を伴うシステムのためのCSI報告をサポートするワイヤレス通信システム200の例を示す。いくつかの例では、ワイヤレス通信システム200は、ワイヤレス通信システム100の態様を実装し得る。ワイヤレス通信システム200は、図1を参照して説明された対応するデバイスの例であり得る、基地局105-aおよびUE115-aを含み得る。いくつかの例では、基地局105-aは、カバレッジエリア205内の1つまたは複数のUE115と通信していることがある。たとえば、基地局105-aは、双方向通信リンク210を介してUE115-aと通信していることがある。ワイヤレス通信システム200の中の基地局105-aおよびUE115-aは、LTEサービス、ULLサービス、およびURLLCサービスなどの複数のサービスをサポートし得る。2つ以上のサービスが同時にサポートされ得る。いくつかの例では、異なるサービスは異なるTTIに対応することがある。たとえば、LTEサービスに対応するTTIは1msのTTIを有することがあり、一方でULLサービスまたはURLLCサービスは、1ms未満の時間長を有するsTTIを有することがある。
【００４９】
基地局105-aは、後続のスケジューリングおよび送信のために利用され得るCSI情報を取得するための要求を送信し得る。基地局105-aは、それに従って、1つまたは複数のサービスに対応するCSI処理を開始するためのトリガ230を送信し得る。いくつかの例では、トリガ230は、第1のトリガ215または第2のトリガ220のうちの1つを含み得る。UE115-aは、要求を受信し、トリガ230に応答してCSI報告225を送信し得る。いくつかの例では、ワイヤレス通信システム200によってサポートされるすべてのサービス(たとえば、1msのLTEサービス、ULLサービス、またはURLLCサービス)が、同じ送信モード(TM)のもとで構成され得る。代わりに、ULLまたはURLLCサービスは、1msのLTEサービスとは異なるTMに従って構成され得る。1つのサービスに対応するCSI情報を基地局105-aに報告するためにUE115-aによって利用されるタイミングおよび構成は、追加のサービスに対応するCSI情報を報告するために利用され得る。たとえば、LTEサービスに対応するCSI情報を報告するために利用されるCSI報告手順が、ULLサービスまたはURLLCサービスに対応するCSI情報を報告するためにも利用されることがあり、その逆であることもある。
【００５０】
いくつかの例では、基地局105-aは、異なるサービスのためのCSI報告をトリガするために別個のトリガを送信し得る。たとえば、基地局105-aは、1つのタイプのサービスに対応する第1のトリガ215をUE115-aに送信することがあり、このことは、LTEサービスのためのCSI報告をトリガすることがある(たとえば、第1のトリガ215は第1のTTI長と関連付けられるCSI報告をトリガすることがある)。いくつかの例では、第1のトリガ215はDCIを使用して送信されることがある(たとえば、トリガ215とは第1のTTI長の基準リソースのためのCSI報告をトリガするDCIフォーマットを指すことがある)。上で言及されたように、LTEサービスは1msのTTIに対応することがあるので、CSI報告は1msのTTIに基づくことがある。いくつかの例では、基地局105-aは第2のトリガ220をUE115-aにも送信することがあり、このことは、ULLサービスまたはURLLCサービスのためのCSI報告をトリガすることがある(たとえば、第2のトリガ220は第2のTTI長と関連付けられるCSI報告をトリガすることがある)。たとえば、第2のトリガ220は、低レイテンシ通信と関連付けられるDCI(たとえば、sDCI、sTTIなどの第2のTTI長の基準リソースのためのCSI報告をトリガする何らかの他のDCIフォーマット)を使用して送信されることがある。いくつかの例では、ULLサービスまたはURLLCサービスは、1ms未満の時間長を有し得るsTTIの使用に対応し得る。そのような例では、UE115-aは、sTTIに対応するULLまたはURLLC CSI報告のための基準リソースを定め得る。基準リソースは、その間に測定がUE115-aによって行われる1つまたは複数の期間を指し、CSI報告225は、基準リソースにわたって得られた測定結果に基づき得る。いくつかの例では、基準リソースは完全なsTTIに等しい時間長を有し得る。代わりに、基準リソースは、sTTIの一部(たとえば、3シンボルのsTTIのうちの2シンボル)に等しい時間長を有し得る。
【００５１】
いくつかの例では、基地局105-aは、それぞれのサービスのためのCSI報告をトリガするために単一のトリガを送信し得る。単一のトリガはあるサービスタイプ(たとえば、LTE、ULL、URLLC)と関連付けられることがあり、このことは、UE115-aに、2つ以上のタイプのサービスのためのCSI報告を開始させることがある。たとえば、1msのLTEサービスと関連付けられるトリガ215は、UE115-aに、LTEサービスおよび低レイテンシサービス(たとえば、ULLサービスおよび/またはURLLCサービス)のためのCSI報告を開始させることがある。そのような場合、UE115-aは、トリガ215を受信した後でCSI測定を行うためのsTTI基準リソースを定め得る。UE115-aは、あるサブフレームの間にトリガ215を受信し、異なる後続のサブフレームの間にCSI報告を送信し得る。UE115-aは、トリガTTIおよびsTTIのタイミングに基づいて、ULLまたはURLLC CSI報告のための基準リソースを特定することができ、トリガ215が受信されるサブフレームとCSI報告が送信される後続のサブフレームにおいて、またはそれらの間で、基準リソースを位置特定することができる。図3においてさらに説明されるように、いくつかの態様では、基準リソースは、ULLまたはURLLCのためのCSI報告がより最近の測定結果に基づくように、トリガTTIの後で位置特定されるように構成され得る。
【００５２】
いくつかの例では、基地局105-aは、トリガ215などのトリガを含み得る、アップリンクグラントをUE115-aに送信し得る。アップリンクグラントは、2ビットを含み得るCSIトリガフィールドを含み得る。ビットの解釈はRRCシグナリングを介して示されることがあり、CSIトリガは複数のインデックス付けされたエントリを用いて構成されることがある。たとえば、いくつかの場合、00はCSI報告がないことを示すことがあり、01はサービングセルのためのCSI報告をトリガすることがあり、10は第1のサービングセルのためのCSI報告をトリガすることがあり、11は第2のサービングセルのためのCSI報告をトリガすることがある。RRC構成は、定められたCSIトリガフィールドの中の2ビットによってシグナリングされる構成の各々が、LTE 1ms TTIのためのCSI報告とsTTI(たとえば、sCSI)のためのCSI報告の一方または両方と関連付けられ得るように、拡張され得る。たとえば、TTIとsTTIの両方のためのCSI報告と関連付けられるインデックス付けされたエントリのセットは、RRCシグナリングを介して示されることがあり、01というビット値は、たとえば、あるサービングセル上でのCSI報告を、二次的なサービングセル上でのsCSI報告に加えてトリガし得る。代わりに、01というビット値は、サービングセル上でのCSI報告を、同じサービングセル上でのsCSI報告に加えてトリガし得る。CSIトリガフィールドの中の2ビットと関連付けられる、CSIおよびsCSI報告の他の組合せと構成も可能であり得る。したがって、RRC構成は、異なるトラフィックタイプのためのCSIを報告するためのCSIトリガフィールドをUE115-aが適切に解釈することを可能にし得る。
【００５３】
いくつかの場合、UE115-aはCSI報告225にCQI値を含めることがあり、CQI値は低レイテンシサービスのためのCSIを報告するときのsTTI基準リソースに基づくことがある。UE115-aは、後続の送信のために使用すべき適切なMCS(たとえば、物理ダウンリンク共有チャネル(PDSCH)または短縮PDSCH(sPDSCH)送信)を選ぶ際に基地局105-aを支援するためにCQIを報告するように構成され得る。UE115-aは、所望のブロックエラーレート(BLER)を確実にするMCSに対応するCQI値を報告し得る(たとえば、BLERは0.1以下である)。UE115-aは、基準測定サブフレームを介したPDSCHを想定することがあり、CQIインデックスを計算することがある。ULLまたはURLLCなどのサービスでは、異なるsTTIは異なる数のシンボル期間を有し得る。たとえば、sTTIは、いくつかの場合、2シンボルまたは3シンボルのいずれかであり得る。sPDSCH送信では、3シンボルのsTTIにわたるトランスポートブロックサイズ(TBS)は、2シンボルのsTTIのTBSと同一となるようにスケーリングされ得る。そのような例では、2シンボルのsTTIと3シンボルのsTTIの両方が、同じ処理タイミングに従い得る。同じTBSを用いると、3シンボルのsTTIのもとでのコーディングレートはより低いことがある。したがって、2シンボルの基準測定sTTIが使用されるか、または3シンボルの基準測定sTTIが使用されるかに応じて、基準リソースのための決定されるCQIインデックスは異なり得る。
【００５４】
いくつかの例では、UE115-aは、基準測定sTTIが2シンボルのsTTIであるという想定のもとで、または基準測定sTTIが3シンボルのsTTIであるという想定のもとで、CQIを決定し得る。代わりに、UE115-aは、基準測定sTTIが常に2シンボルのsTTIであるという想定のもとでCQIを決定し得る。そのような例では、sTTI基準リソースが3シンボルを有する状況においても、UE115-aは依然として、2シンボルのみが利用可能であると想定することがある。いくつかの例では、UE115-aは、3シンボルを有するsTTIより前にある2シンボルを有するsTTIにsTTI基準リソースが対応することを決定し得る。たとえば、UE115-aは、サブフレーム(サブフレームn)の間にCSI要求を受信し、サブフレームnまたはsTTI nより何らかの閾値(n-k)だけ前にあるsTTIを特定し得る(たとえば、n-4)。sTTI基準リソースは、閾値サブフレームまたはsTTI n-kに基づき得る。n-kが3シンボルのsTTIである場合、UE115-aは代わりに、sTTI基準リソースをsTTI n-5に基づくものにし得るので、sTTI基準リソースを、3シンボルではなく2シンボルを有するsTTIに基づくものにし得る。
【００５５】
いくつかの例では、sTTIを伴う、短縮物理ダウンリンク制御チャネル(またはsPDCCH)オーバーヘッドについての固定された想定が適用され得る。たとえば、1msのLTEサービス(たとえば、TTIサービス)において、UE115-aは、CQIを決定するための、3シンボルの物理ダウンリンク制御チャネル(PDCCH)および非MBSFNサブフレームのサイクリックプレフィックス(CP)長を想定する。ULLまたはURLLCサービスでは、UE115-aは、sPDCCHオーバーヘッドがないことを想定することがあり、または、トリガsTTIの、もしくは基準リソースsTTIの同じsPDCCHオーバーヘッドを想定することがある。たとえば、同じsPDCCHオーバーヘッドが想定されるとき、基準リソースsTTIは、TTI長に対する相対的なsTTI長に比例する数の利用可能なREを含むことが理解され得る。UE115-aが同じPDCCHおよびsPDCCHオーバーヘッドを想定する状況では、サブフレーム長TTIの利用可能なREの半数が、サブフレームの長さの半分のsTTI(たとえば、1スロットのsTTI)のための基準リソースに対して想定されることがあり、または、UE115-aがある数のシンボル(たとえば、2シンボルまたは3シンボル)より短いsTTIのために構成されるとき、利用可能なREの数の6分の1が、基準リソースに対して想定され得る。たとえば、UE115-aは、sTTIと関連付けられるCSI報告に対するトリガを(たとえば、受信されたDCIを介して)特定し得る。UE115-aは、シンボルのサブセット(たとえば、2シンボル)に基づいてCSI報告を生成し、シンボルのサブセットに基づいて(たとえば、sTTIが2シンボルであるか3シンボルであるかにかかわらず)CSI報告を生成することができ、TTIについて想定されるように、同じ固定されたオーバーヘッドを想定する。
【００５６】
UE115-aにおいて構成可能なCSI処理の数は、所与のサービス(たとえば、LTEサービス)に対して限定され得る。いくつかの例では、しかしながら、UE115-aは、ULLサービスまたはURLLCサービスなどの追加のサービスをサポートし得る。UE115-aは同時のCSI処理の最大の数に対する制約を有することがあり、これはUE115-aの能力に基づくことがある。たとえば、UE115-aは、ある数のCSI処理をサポートすることが可能であることがあり、これらのCSI処理は複数のサービスにわたって共有または分散されることがある(たとえば、UE115-aは、サービスもしくは基準リソースTTI長とは無関係にある数の全体のCSI処理をサポートすることが可能であることがあり、または、UE115-aは、各々のサポートされるサービスに対する別個のもしくは異なるCSI処理能力を有することがある)。すなわち、CSI処理のための能力(たとえば、第1のTTI長と関連付けられるCSI報告またはCSI測定)およびsCSI処理のための能力(第2のTTI長と関連付けられるCSI報告またはCSI測定)が、UE115-aによって共同で、または別々に、定義、説明、報告などが行われ得る。たとえば、UE115-aは、報告されていないCSI要求の数が共通のCSI処理能力閾値を超えることを決定することができ、ここで説明される技法に従って報告されていないCSI要求を優先順位付けることができる。代わりに、UE115-aは、第1のTTI長(または第2のTTI長)と関連付けられるCSI要求が第1のTTI長と関連付けられる(または第2のTTI長と関連付けられる)CSI報告のためのCSI処理能力を超えることを決定することができ、第1のTTI長と関連付けられる(または第2のTTI長と関連付けられる)報告されていないCSI要求を優先順位付けることができる。UE115-aの共同のまたは別々のCSI処理能力閾値を超える場合、より低い優先度と関連付けられる報告されていないCSI要求(たとえば、UE115-aによってまだ実行または報告されていないCSI測定と関連付けられるCSI要求)は省略される(たとえば、CSI報告に含まれない)ことがあり、または、以前のCSI測定結果を使用して報告されることがある(たとえば、報告されるCSIは更新されないことがある)。
【００５７】
この制約は、CCごとに、すべてのCCにわたって、またはこれらの両方で適用され得る。たとえば、CSI処理制約が10個のCSI処理であり、5個のCCにわたって適用される場合、CSI処理は、CCごとに2つの処理を伴って5個のCCにわたって適用されることがあり、または10個のCSI処理が5個のCCにわたって動的に適用されることがある。一例では、UE115-aは、10個のCSI処理が第1のCCに対して実行され得るように、かつ、第2の、第3の、第4の、および第5のCCに対してCSI処理が実行され得ないように、制約を適用し得る。また、別の例では、UE115-aは、5個のCSI処理が第1のCCと関連付けられ得るように、5個のCSI処理が第2のCCと関連付けられ得るように、かつCSI処理が第3の、第4の、および第5のCCなどと関連付けられ得ないように、制約を適用し得る。加えて、または代わりに、2個以下のCSI処理が各CCと関連付けられ得るように、制約がCCごとに適用され得る。代わりに、制約は複数のCCにわたって適用され得る。いくつかの例では、制約は、複数のまたはすべてのCCにわたって、かつCCごとに、動的な割当ての組合せで適用され得る。
【００５８】
UE115-aは、所与のサービスに対してサポートできるCSI処理の数に関する1つまたは複数の能力をサポートし得る。たとえば、能力は1msのCSIおよびULLまたはURLLC CSIに対して独立にシグナリングされることがあり、複数の能力がシグナリングされることがある。たとえば、UE115-aは、1msのCSIおよびULL CSIまたはURLLC CSIのうちの少なくとも1つに適用されるような以下の能力、すなわち、1ms CSIに対する12個のCSI処理、1ms CSIに対する10個のCSI処理+ULL/URLLCに対する5個のCSI処理、1ms CSIに対する5個のCSI処理+ULL/URLLCに対する15個のCSI処理、および1ms CSIに対する0個のCSI処理+ULL/URLLCに対する25個のCSI処理のうちの、1つまたは複数を示し得る。いくつかの例では、事前に定められた能力のセットのうちの1つまたは複数に対するサポートが、ビットマップとしてシグナリングされ得る。これらは、異なるサービスタイプに対してサポートされ得る異なるCSI処理および各サービスに対する異なる数のCSI処理の組合せの説明のための例にすぎず、これらの組合せは、UE115-aによってサポートされ基地局105-aにシグナリングされ得ることが理解される。基地局105-aは、UE115-aからこれらのまたは他の事前に定められた能力のセットのためのシグナリングを受信し、UE115-aがサポートすることが可能なCSI処理がもしあればどれだけあるかを決定し得る。基地局105-aはCSI要求をUE115-aに送信することができ、これは受信された能力に一部基づき得る。
【００５９】
いくつかの例では、UE115-aは、トリガ予算(triggering budget)に少なくとも一部基づいてCSI処理を優先順位付け得る。以下でより詳細に説明されるように、トリガ予算は、UE115-aが同時に処理する(たとえば、そのための最新の情報を提供する)ことが可能であり得るトリガされるCSI報告の数に対応することがあり、一方で、トリガ予算を超えるあらゆるトリガされるCSI報告に対しては、古い情報(たとえば、トリガの前に行われた測定に基づいて決定される情報)が提供されることがある。トリガ予算を超えるときに、どのCSI処理を更新するかを決定するために、優先順位付けが実行され得る。
【００６０】
いくつかの例では、非定期的なCSI報告は、定期的なCSI報告がスケジューリングされるのと同じ時間にCCを介してトリガされ得る。そのような場合、定期的なCSIと非定期的なCSIの両方が、同じサブフレームにおける報告のための所与のCCに対する1msのLTEサービスのためにトリガされる場合、すべてのCCのための定期的なCSIが省略されることがある。いくつかの例では、ULLサービスまたはURLLCサービスをサポートするワイヤレス通信システムにおいて、1msのLTEサービスのための非定期的なCSI報告は、ULLサービスまたはURLLCサービスのための定期的なCSI報告と競合し得る。そのような場合、システムは、1ms LTEサービスのための非定期的なCSI報告および同じサブフレーム内での定期的なCSI報告をサポートすることができ、これは、より新しいCSI情報を保持することによって低レイテンシ通信に対するサービスの可用性を向上させることができる。いくつかの例では、追加の優先順位付け規則が定められ得る。たとえば、定期的または非定期的なURLLC CSI報告は、定期的または非定期的なULL CSI報告より優先されることがあり、定期的なまたは非定期的なULLもしくはURLLC CSI報告は1msの定期的または非定期的なLTE CSI報告より優先されることがある。いくつかの例では、CSI処理構成は、PDSCHのリソース要素当たりエネルギー(EPRE)とCSI-RSのEPREとの比の指示を含み得る。そのような場合、第1の比は、1ms LTEサービスに対するPDSCH EPREとCSI-RS EPREの比を示すことがあり、一方で、第2の比は、ULLサービスおよび/またはURLLCサービスに対するsPDSCH EPREとCSI-RS EPREの比を示すことがある。代わりに、ULLサービスおよび/またはURLLCサービスに対するsPDSCH EPREおよびCSI-RS EPREは、1ms LTEサービスに対するPDSCH EPREとCSI-RS EPREとの比と同じであり得る。
【００６１】
図3は、本開示の様々な態様による、複数の送信時間間隔を伴うシステムのためのCSI報告をサポートするサブフレーム構造300の例を示す。いくつかの例では、サブフレーム構造300は、ワイヤレス通信システム100の態様を実装し得る。サブフレーム構造300は、図1〜図2を参照して説明された対応するデバイスの例であり得る、基地局105-aおよびUE115-aによって利用され得る。いくつかの例では、基地局105は、異なるサービスのためのCSI報告を開始するためにトリガを送信し得る。トリガはDCI情報に(たとえば、アップリンクグラントに)含まれ得る。上で説明されたように、CSIトリガは2つ以上のタイプのサービスに対するCSI報告を開始し得る。たとえば、CSIトリガは、LTEサービスと関連付けられることがあるが(たとえば、DCIフォーマット0または4などのレガシーDCIグラントを使用して)、LTEサービス、ULLサービス、またはURLLCサービスの組合せのためにCSI報告を開始することがある(たとえば、CSI要求フィールドのための事前に構成されたインデックス付けに基づいて)。
【００６２】
UE115は、複数のサブフレームn(たとえば、サブフレームn 305〜サブフレームn+4 325)のうちの1つの間にCSIを提供することを求める要求を受信し得る。たとえば、UE115は、サブフレームn 305〜サブフレームn+4 325の間にスケジューリングされるULLおよび/またはURLLCサービスなどの、LTEサービスおよび他のサービスに対応する定期的なCSI報告を有することがあり、または非定期的なCSIに対するトリガを受信することがある。たとえば、UE115は、DCIの中のサブフレームn 305の最初に、非定期的なCSI要求330を受信し得る。1msのLTE CSI報告では、UE115は、サブフレームn 305の間にCSI測定を行うことができ、サブフレームn+4 325の間に1ms TTIのためのCSI報告340を送信することができる。
【００６３】
いくつかの場合、UE115はまた、非定期的なCSI要求330に基づいて、ULLまたはURLLCのためのCSI報告をトリガし得る。そのような場合、UE115は、非定期的なCSI要求330に対するCSI測定を行うためのsTTI基準リソース335を決定し得る。sTTI基準リソース335は、関連するサービスのためのsTTI時間長またはsTTI時間長の一部分に対応し得る(たとえば、このときULLまたはURLLCのために1シンボルのsTTIが使用され得る)。sTTI基準リソース335は、トリガTTI305、ならびに、1ms LTE DCIを介して受信される非定期的なトリガのためのsTTI CSI報告の構成に基づいて決定され得る。たとえば、sTTI基準リソース335-aは、サブフレームn 305内で構成され得る(たとえば、sTTI基準リソース335-aは、サブフレームn内のM番目のsTTIとして構成され得る)。代わりに、sTTI基準リソース335-bは、サブフレームn 305内ではなく、報告サブフレームn+4 325のより近くに位置するように構成され得る。たとえば、sTTI基準リソース335-bは、サブフレームn+2 315またはサブフレームn+3 320内に位置し得る(たとえば、sTTI基準リソース335-aは、サブフレームn+1 310、サブフレームn+2 315、またはサブフレームn+3 320内のM番目のsTTIとして構成され得る)。
【００６４】
代わりに、sTTI基準リソース335は、事前に構成された数のsTTIの処理タイムライン(たとえば、k個のsTTIの処理タイムライン)に基づいて選ばれ得る。たとえば、サブフレームn+4 325よりk個のsTTIだけ前にあるsTTIが、sTTI基準リソース335-bとして選択され得る。そのような例では、sTTI基準リソース335-bの間に行われるsCSI測定と、sCSI報告を含むCSI報告340の送信との間で経過する時間が、より短くなり得る。すなわち、sTTI基準リソース335-bの間に取得される情報は、sTTI基準リソース335-aのために取得される情報より新しいことがある。しかしながら、処理タイムラインは、CSI報告340に関する物理アップリンク共有チャネル(PUSCH)符号化を考慮し得る。たとえば、CSI報告340のためのPUSCH符号化が進行中である場合、または、たとえばサブフレームn+3の間にすでに完了している場合、サブフレームn+3の間にsTTI基準リソース335-bの間に得られたsCSI測定結果は、符号化されたCSI報告340に含まれないことがある。したがって、対応するsCSI報告のためのsTTI基準リソース335の間に得られたsCSI測定結果は、PUSCH上で送信されないことがある。したがって、UE115は、サブフレームnより報告サブフレームn+4 325に近いように(新しい測定結果を可能にするために)、しかしPUSCH符号化の前に測定結果が得られることを確実にするために報告サブフレームn+4 325からは十分遠いように、sTTI基準リソース335-bを(たとえば、基地局105に処理能力を示すことを介して)特定し得る。たとえば、CSI報告340に関する符号化がサブフレームn+3の間に行われるが、サブフレームn 305の間に得られたsCSI測定結果が古く、または陳腐化していることをUE115が決定する場合、UE115は、サブフレームn+2内にあるものとしてsTTI基準リソース335-bを特定し得る。sTTI基準リソース335の位置は、報告サブフレームn+4 325より前にあるsTTI基準リソース335のためのsTTIまたはサブフレームの数を示すことによって、UE115においてケースバイケースで決定され得る。代わりに、sTTI基準リソース335の位置は事前に構成され得る。
【００６５】
いくつかの例では、sCSI報告は、CSI報告340と関連付けられるPUSCHをパンクチャリングし得る。パンクチャリングは、PUSCH符号化処理が開始または終了した場合でも、所与のsTTI基準リソースのためのCSI報告をUE115が送信することを可能にし得る。そのような場合、UE115は、報告サブフレームn+4のより近くでsTTI基準リソース335を位置特定し得る。たとえば、sTTI基準リソース335-bはサブフレームn+3に位置し得る。
【００６６】
いくつかの例では、UE115は、ある長さの時間の間、低レイテンシサービスと関連付けられるアップリンク送信をスケジューリングされないことがある。しかしながら、UE115における低レイテンシサービスのために使用される通信リンクは、1msのサービスと関連付けられるDCIを使用してsCSI報告をトリガすることによって、有効なままにされ、または維持され得る。そのような場合、上で説明されたように、sTTI基準リソース335はサブフレームn 305内に位置することがあり、またはsTTI基準リソース335は別のsTTI内にあることがある。
【００６７】
図4は、本開示の様々な態様による、複数の送信時間間隔を伴うシステムのためのCSI報告をサポートするサブフレーム構造400の例を示す。いくつかの例では、サブフレーム構造400は、ワイヤレス通信システム100の態様を実装し得る。サブフレーム構造400は、図1〜図3を参照して説明された対応するデバイスの例であり得る、基地局105およびUE115を含み得る。いくつかの例では、UE115はCSI処理を優先順位付け得る。優先順位付けは、図2を参照して論じられたような、トリガ予算または他の方法に少なくとも一部基づき得る。
【００６８】
UE115は、サブフレームn 405からサブフレームn+4 425などの、複数のサブフレームにわたって定期的なCSI要求および非定期的なCSI要求を受信し得る。たとえば、UE115は、サブフレームn 405の最初に、1msのCSI要求0 435を受信し得る。いくつかの例では、UE115は、サブフレームn 405の間にCSI測定を行うことができ、サブフレームn+4 425の間に1msのCSI報告0 460を送信することができる。UE115は、サブフレームn+1 410の最初に1msのCSI要求1 440を受信することができ、何らかの未来のサブフレーム(たとえば、サブフレームn+5(図示せず))の間に送信されるべきサブフレームn+1 410の間に追加のCSI測定を行うことができる。1msのCSI要求1 440をトリガするアップリンクグラントはまた、非定期的なsCSI要求0 442をトリガすることができ、UE115は、sCSI測定を行うためにサブフレームn+1 410のsTTIの間のsTTI基準リソース445を特定することができる。UE115は、サブフレームn+1 410の第2の部分の間に非定期的なsCSI要求1 447を受信することができ、sCSI測定を行うためにsTTI基準リソース450を特定することができる。加えて、UE115は、サブフレームn+2 415の間に非定期的なsCSI要求2 452を受信することができ、sCSI測定を行うためにsTTI基準リソース455を特定することができる。代わりに、sTTI基準リソース445、450、または455のうちの1つまたは複数は、定期的なsCSI報告のための構成に基づいて特定され得る。
【００６９】
特定されるsTTI基準リソース445、450、および455の各々は、対応するサブフレームの間に行われるsCSI測定が、アップリンクチャネルにおいてsCSI測定結果を符号化するのに十分な時間(たとえば、sCSI報告が1msのサービスと関連付けられるDCIによってトリガされるときはPUSCH、またはsCSI報告がsDCIによってトリガされるときはsPUSCH)で完了し得るように、UE115によって識別され位置特定され得る。たとえば、sCSI要求0 442が1msのCSI要求1 440によってトリガされる場合、sTTI基準リソース445の間に得られた測定結果に基づくsCSI報告は、1msのCSI要求1 440に応答して得られたCSI測定結果とともに、何らかの後続のサブフレーム(たとえば、サブフレームn+5)の間に送信され得る。代わりに、sCSI要求0 442が独立のsCSI報告要求によってトリガされる場合、sTTI基準リソース445の間に得られた測定結果は、独立のsCSI要求を有するsTTIを基準とする後続のsTTI(たとえば、sCSI要求0 442から4個、8個、12個、またはより多くのsTTI後の)において送信され得る。したがって、sCSI要求2 452を受信し、sTTI基準リソース455を特定すると、UE115は、複数のサービスに対応する全体で5個のCSIまたはsCSI要求を受信した可能性があり、sCSI要求2 452を受信する前の4個のCSI/sCSI処理の各々は依然として処理中であることがある(たとえば、UE115はsCSI要求2 452を受信した後で5個の報告されていないCSI/sCSI処理を有することがある)。
【００７０】
上で論じられたように、UE115は、CSI/sCSI報告をCSI/sCSI処理閾値に制限するための制約を生成することによって、トリガ予算を適用し得る。たとえば、UE115は、4個のCSI/sCSI処理というトリガ予算を用いて構成され得る。報告されていないCSI/sCSI処理の数が、CSI/sCSIのトリガ予算が許容するもの(たとえば、4個)より多いとき、UE115は、どのCSI/sCSI報告が更新された測定結果または現在の測定結果について実行されるか、および、どのCSI報告が記憶されている(たとえば、陳腐化した)情報に基づくかを選択するために、ある優先順位付け方式を適用し得る。
【００７１】
UE115は、動的な割当てに基づいてCSI/sCSI処理を優先順位付け得る。たとえば、UE115は、最初に来たものに最初にサービスするように、優先順位を割り当て得る。そのような場合、UE115は、CSI要求0 435、CSI要求1 440、sCSI要求0 442、およびsCSI要求1 447を選択することができ、CSI要求が到着した順序に基づいて現在の測定結果に基づくCSI報告を送信することができる。そのような例では、sCSI要求2 452に対応するsCSI報告は、以前の測定結果に基づいて送信されることがある(たとえば、sTTI基準リソース455に基づいて更新されないことがある)。
【００７２】
いくつかの例では、UE115は、優先規則に少なくとも一部基づいてCSI/sCSI処理を優先順位付け得る。優先規則は、チャネル条件、セル負荷、または他の特性などの条件に基づいて、動的に割り当てられ得る。代わりに、優先規則は事前に定められ得る。規則は、トラフィックタイプに基づいてCSI/sCSI処理を優先順位付け得る。たとえば、URLLCサービスのためのsCSIは、ULLサービスのためのsCSIより優先されるものとして定義されることがあり、ULLサービスのためのsCSIは、1msのLTEサービスのためのCSIより優先されるものとして定義されることがある。加えて、または代わりに、CCインデックスは、CSI/sCSI処理を優先順位付けるために使用され得る。たとえば、より低いセルインデックスを有するCCは、より高いセルインデックスを有するCCよりCSI/sCSI処理について優先され得る。そのような場合、UE115は、どのCSI処理が更新された測定結果に基づくべきか、および、どの処理が以前の測定結果(たとえば、以前の基準リソースからの記憶されているデータ)に基づくべきかを、定められた優先順位付けに基づいて選択し得る。
【００７３】
たとえば、sTTI基準リソース445に対応するsCSI要求0 442はULLサービスに対応するsTTI CSI要求であり得るが、sTTI基準リソース450および455に対応するsCSI要求1 447およびsCSI要求2 452はURLLC送信に対応するsCSI要求であり得る。そのような例では、UE115は、sCSI要求1 447およびsCSI要求2 452を優先度が最高であるものとして優先し、それに続いてsCSI要求0 442を優先し得る。これらの3つのCSI要求に対応する3つのCSI報告の各々は、更新された情報(たとえば、sTTI基準リソース445、450、および455に対する新しい測定結果)に基づき得る。最も優先度が低いのは、1msのCSI要求0 435およびCSI要求1 440であり得る。UE115は、これらのうちの1つをランダムに選択することがあり、またはある方式に基づくことがある(たとえば、最初に来たものが最初にサービスされる)。たとえば、1msのCSI要求0に対応するCSI報告は、到着時間(または何らかの他の判定特性)に基づいて更新された情報に基づき得る。したがって、4個の優先順位付けられるCSI報告の各々は更新された情報に基づき得る。しかしながら、トリガ予算は4個のCSI報告において満たされていることがあり、UE115は、トリガ予算に抵触しないように、記憶されている情報(たとえば、以前の基準リソースに基づく測定結果)に基づく1msのCSI要求1に対応するCSI報告を送信することができる。
【００７４】
図5は、本開示の様々な態様による、複数の送信時間間隔を伴うシステムのためのCSI報告をサポートするプロセスフロー500の例を示す。いくつかの例では、プロセスフロー500は、ワイヤレス通信システム100の態様を実装し得る。プロセスフロー500は、図1〜図4を参照して説明された対応するデバイスの例であり得る、基地局105-bおよびUE115-bを含み得る。
【００７５】
505において、基地局105-bは、第1のTTI長(たとえば、1msのTTI)を利用する第1のトラフィックタイプおよび第1のTTI長より短い第2のTTI長を利用する第2のトラフィックタイプを介した通信のための構成を確立し得る。たとえば、UE115-bは、1msのLTEサービス、ULLサービス、およびURLLCサービスなどの複数のサービスをサポートすることができ、これらの各々が異なるプロトコルに対応することがあり、異なるプロトコルの各々が異なるTTI長に対応することがある。たとえば、一部のLTEサービスは1msのTTI長に対応することがある。サービスのこれらのタイプが第1のトラフィックタイプに対応することがある。代わりに、ULLサービスおよびURLLCは第2のトラフィックに対応することがあり、そのようなサービスは1ms(たとえば、sTTI)より短い第2のTTI長に対応することがある。いくつかの場合、1つのトラフィックタイプは複数のTTI長もサポートすることがある(たとえば、ULLまたはURLLCは、2シンボルのsTTI、3シンボルのsTTI、および/またはスロットベースのsTTIなどの、複数の長さのsTTIをサポートすることがある)。いくつかの例では、UE115-bはCSI処理能力をシグナリングすることができ、これは、第1のトラフィックタイプ(たとえば、CSI処理)のための第1の数のサポートされるCSI処理および第2のトラフィックタイプ(たとえば、sCSI処理)のための第2の数のサポートされるCSI処理を含む、1つまたは複数のサポートされる構成を基地局105-bに示す、CSI処理能力をシグナリングし得る。第1のトラフィックタイプは第1のTMに従った動作のために構成されることがあり、第2のトラフィックタイプは第1のTMと異なる第2のTMに従った動作のために構成されることがある。代わりに、TMモードが各TTI長のために構成されることがある(たとえば、各々の異なるTTI長がTMモードを用いて別々に構成される)。
【００７６】
510において、基地局105-aはCSIトリガを送信し得る。UE115-bは送信されたCSIトリガを特定し得る。いくつかの例では、UE115-bは第1のTTI長と関連付けられるDCIメッセージを受信することがあり、DCIメッセージは第1のTTIの中の非定期的なCSI報告トリガを含むことがある。いくつかの例では、UE115-bも、複数のインデックス付けされるエントリを含む非定期的なCSI報告トリガ構成を受信し得る。複数のインデックス付けされるエントリのうちの少なくとも1つが、第2のTTI長のためのCSI報告に対するトリガを示すことがあり、DCIメッセージは、複数のインデックス付けされたエントリのうちの1つに対するインデックスを含むことがある。UE115-bはまた、sCSI報告のための基準リソースとして第1のTTI内のsTTIを構成し得る、sCSI報告構成を用いて構成され得る。代わりに、sCSI報告構成は、基準リソースが報告TTIに何個のsTTIだけ先行するかを示し得る。たとえば、sTTIと関連付けられる処理タイミングがk=6である場合、報告TTIより6個のsTTIだけ前にあるsTTIが、基準リソースであると決定され得る。いくつかの例では、UE115-bは、非定期的な報告トリガを備える第2のトラフィックタイプ(たとえば、sDCI)と関連付けられるDCIメッセージを受信し得る。非定期的な報告トリガは、報告sTTIにおけるCSIおよびsCSIの報告をトリガし得る。
【００７７】
515において、UE115-bは、sCSI報告のためのsTTI基準リソースを特定し得る。基準リソースはsTTIであることがあり、トリガが受信されるTTI、トリガと報告TTIとの間の第1のTTI長のTTIの数、またはsCSI報告構成に少なくとも一部基づいて特定されることがある。sCSI報告構成は、トリガが受信されるTTI内のsTTIもしくはsTTIの一部分、sTTI基準リソースを位置特定するための報告TTIの前にあるTTIの数、報告TTIの前にあるsTTIの数、またはこれらの組合せを示し得る。
【００７８】
520において、UE115-bは、基準リソースに少なくとも一部基づいて、CSI/sCSI報告を生成し得る。いくつかの例では、第2のトラフィックタイプは複数のsTTI長(たとえば、第2のTTI長、および第1のTTI長より短く第2のTTI長と異なる第3のTTI長)を利用し得る。そのような例では、sCSI報告を生成することは、基準リソースに基づいて第2のTTI長と関連付けられるCQIを決定することを含み得る。sCSI報告を生成することはさらに、基準リソースに基づいて第3のTTI長と関連付けられる第2のCQIを決定することを含み得る。sCSI報告を生成することはさらに、基準リソースが第3のTTI長を有することを決定することと、基準リソースに先行する第2のTTI長を有するTTIへと基準リソースを合わせることとを含み得る。
【００７９】
いくつかの例では、sCSI報告を生成することは、制御チャネルオーバーヘッドの不在、所定の量の制御チャネルオーバーヘッド、またはトリガと関連付けられるsTTIにおける制御チャネルオーバーヘッドの量に少なくとも一部基づき得る。いくつかの例では、UE115-bは、報告されていないCSI/sCSI要求の数が閾値を超えることを決定することができ、報告されていないCSI/sCSI要求と関連付けられるトリガのタイミングまたは報告されていないCSI/sCSI要求と関連付けられるトラフィックタイプの優先順位に少なくとも一部基づいて、報告されていないCSI/sCSI要求に対するCSI/sCSI報告の生成を優先順位付け得る。
【００８０】
いくつかの例では、UE115-bは、第1のトラフィックタイプに対するPDSCHのEPREと第1の基準信号のEPREとの第1の比を特定することができ、第2のトラフィックタイプに対するPDSCHのEPREと第2の基準信号のEPREとの第2の比も特定することができ、第2の比は第1の比と異なる。CSI報告を生成することは、第2の比に少なくとも一部基づき得る。
【００８１】
525において、UE115-bは、報告TTIの間に、特定されたトリガに応答して、CSI報告を送信し得る。いくつかの例では、CSI報告は、第2のトラフィックタイプのための定期的なCSI報告を含み得る。いくつかの例では、UE115-bはPUSCHを使用してCSI報告を送信することができ(たとえば、1msのTTIとsTTIの両方に対するCSI報告をトリガするためにレガシーのDCIまたは1msのDCIが使用される場合において)、いくつかの場合、CSI報告は、第2のトラフィックタイプのための生成されるCSI報告(たとえば、定期的または非定期的)によってパンクチャリングされることがある。加えて、または代わりに、CSIおよびsCSIは、それぞれDCIおよびsDCIを介してトリガされることがあり、CSIおよびsCSIは、それぞれPUSCHおよびsPUSCHを使用して送信されることがある。
【００８２】
いくつかの場合、UE115-bは、第1のトラフィックタイプのための非定期的なCSI報告が報告TTIに対してスケジューリングされることを決定し、第2のトラフィックタイプのための定期的なCSI報告と同時に、報告TTIにおいて第1のトラフィックタイプに対する非定期的なCSI報告を送信し得る。たとえば、1msのサービスに対する非定期的なCSIは、低レイテンシサービスに対する定期的なCSI(たとえば、ULL/URLLCに対する定期的なsCSI)と同時に送信され得る。いくつかの場合、非定期的なCSIおよび定期的なsCSIは異なるCCを介して送信され得る。
【００８３】
図6は、本開示の態様による、複数の送信時間間隔を伴うシステムのためのCSI報告をサポートするワイヤレスデバイス605のブロック図600を示す。ワイヤレスデバイス605は、本明細書で説明されるようなUE115の態様の例であり得る。ワイヤレスデバイス605は、受信機610と、通信マネージャ615と、送信機620とを含み得る。ワイヤレスデバイス605はプロセッサを含み得る。これらの構成要素の各々は、(たとえば、1つまたは複数のバスを介して)互いに通信していることがある。
【００８４】
受信機610は、パケット、ユーザデータ、または様々な情報チャネル(たとえば、制御チャネル、データチャネル、および複数の送信時間間隔を伴うシステムのためのCSI報告に関する情報など)と関連付けられる制御情報などの情報を受信し得る。情報は、デバイスの他の構成要素に渡され得る。受信機610は、図9を参照して説明されるトランシーバ935の態様の例であり得る。受信機610は、単一のアンテナまたはアンテナのセットを利用し得る。
【００８５】
通信マネージャ615は、図9を参照して説明される通信マネージャ915の態様の例であり得る。通信マネージャ615および/またはその様々な副構成要素のうちの少なくともいくつかは、ハードウェア、プロセッサによって実行されるソフトウェア、ファームウェア、またはそれらの任意の組合せで実装され得る。プロセッサによって実行されるソフトウェアで実装される場合、通信マネージャ615および/またはその様々な副構成要素のうちの少なくともいくつかの機能は、汎用プロセッサ、デジタル信号プロセッサ(DSP)、特定用途向け集積回路(ASIC)、フィールドプログラマブルゲートアレイ(FPGA)もしくは他のプログラマブル論理デバイス、個別ゲートもしくはトランジスタ論理、個別ハードウェア構成要素、または本開示で説明される機能を実行するように設計されたそれらの任意の組合せによって実行され得る。
【００８６】
通信マネージャ615および/またはその様々な副構成要素のうちの少なくともいくつかは、機能の一部が1つまたは複数の物理デバイスによって異なる物理的位置において実装されるように分散されることを含めて、様々な場所に物理的に位置し得る。いくつかの例では、通信マネージャ615および/またはその様々な副構成要素のうちの少なくともいくつかは、本開示の様々な態様による別個のおよび異なる構成要素であり得る。他の例では、通信マネージャ615、および/またはその様々な副構成要素のうちの少なくともいくつかは、限定はされないが、I/O構成要素、トランシーバ、ネットワークサーバ、別のコンピューティングデバイス、本開示で説明される1つまたは複数の他の構成要素、または本開示の様々な態様によるそれらの組合せを含む、1つまたは複数の他のハードウェア構成要素と組み合わされ得る。
【００８７】
通信マネージャ615は、第1のTTI長を利用する第1のトラフィックタイプおよび第1のTTI長より短い第2のTTI長を利用する第2のトラフィックタイプを介した通信のための構成を確立し、第2のトラフィックタイプと関連付けられるCSI報告に対するトリガを特定し、CSI報告のための第2のトラフィックタイプに対する基準リソースを特定し、基準リソースが、第2のTTI長を有するTTIを含み、第2のTTI長と関連付けられる報告構成に基づいて特定され、基準リソースに基づいてCSI報告を生成し、報告TTIの間に、特定されたトリガに応答して、CSI報告を送信し得る。
【００８８】
送信機620は、デバイスの他の構成要素によって生成された信号を送信し得る。いくつかの例では、送信機620は、トランシーバモジュールにおいて受信機610と一緒に置かれ得る。たとえば、送信機620は、図9を参照して説明されるトランシーバ935の態様の例であり得る。送信機620は、単一のアンテナまたはアンテナのセットを利用し得る。
【００８９】
図7は、本開示の態様による、複数の送信時間間隔を伴うシステムのためのCSI報告をサポートするワイヤレスデバイス705のブロック図700を示す。ワイヤレスデバイス705は、図6を参照して説明されたようなワイヤレスデバイス605またはUE115の態様の例であり得る。ワイヤレスデバイス705は、受信機710、通信マネージャ715、および送信機720を含み得る。ワイヤレスデバイス705はプロセッサも含み得る。これらの構成要素の各々は、(たとえば、1つまたは複数のバスを介して)互いに通信していることがある。
【００９０】
受信機710は、パケット、ユーザデータ、または様々な情報チャネル(たとえば、制御チャネル、データチャネル、および複数の送信時間間隔を伴うシステムのためのCSI報告に関する情報など)と関連付けられる制御情報などの情報を受信し得る。情報は、デバイスの他の構成要素に渡され得る。受信機710は、図9を参照して説明されるトランシーバ935の態様の例であり得る。受信機710は、単一のアンテナまたはアンテナのセットを利用し得る。
【００９１】
通信マネージャ715は、図9を参照して説明される通信マネージャ915の態様の例であり得る。通信マネージャ715はまた、トラフィックタイプ構成要素725、トリガ構成要素730、基準リソース構成要素735、およびCSI報告構成要素740を含み得る。
【００９２】
トラフィックタイプ構成要素725は、第1のTTI長を利用する第1のトラフィックタイプおよび第1のTTI長より短い第2のTTI長を利用する第2のトラフィックタイプを介した通信のための構成を確立し得る。いくつかの場合、第2のトラフィックタイプは、第2のTTI長と、第1のTT長より短く第2のTTI長と異なる第3のTTI長とを利用する。いくつかの場合、第1の送信モードは第1のトラフィックタイプのために構成され、第1の送信モードと異なる第2の送信モードは第2のトラフィックタイプのために構成される。いくつかの場合、第2のトラフィックタイプはULLプロトコルまたはURLLCプロトコルを含む。
【００９３】
トリガ構成要素730は、第2のトラフィックタイプと関連付けられるCSI報告に対するトリガを特定し、インデックス付けされたエントリのセットを含む非定期的なCSI報告トリガ構成を受信することができ、インデックス付けされたエントリのセットのうちの少なくとも1つが、(たとえば、第2のTTI長のための)第2のトラフィックタイプのためのCSI報告に対するトリガを示し、DCIメッセージが、インデックス付けされたエントリのセットのうちの1つに対するインデックスを含む。いくつかの場合、トリガを特定することは、第1のTTIの中の非定期的なCSI報告トリガを含む第1のトラフィックタイプと関連付けられるDCIメッセージを受信することを含む。いくつかの場合、報告構成は、第1のTTI内の第2のTTI長の構成されたTTIを含む。いくつかの場合、報告構成は、基準リソースが報告TTIに先行するような第2のTTI長のTTIの数を含む。いくつかの場合、トリガを特定することは、非定期的なCSI報告トリガを含む第2のトラフィックタイプと関連付けられるDCIメッセージを受信することを含む。いくつかの場合、非定期的なCSI報告トリガは、第1のトラフィックタイプと関連付けられる第2のCSI報告が報告TTIにおいてCSI報告とともに送信されることをトリガし、報告TTIは第2のTTI長を有する。
【００９４】
基準リソース構成要素735は、CSI報告のための第2のトラフィックタイプに対する基準リソースを特定することができ、基準リソースは、第2のTTI長を有するTTIを含み、第2のTTI長と関連付けられる報告構成に基づいて特定される。いくつかの例では、基準リソース構成要素735は、基準リソースに先行する第2のTTI長を有するTTIへと基準リソースを合わせ得る。
【００９５】
CSI報告構成要素740は、基準リソースに基づいてCSI報告を生成し、報告TTIの間に、特定されたトリガに応答して、CSI報告を送信し、第1のトラフィックタイプのための非定期的なCSI報告が報告TTIのためにスケジューリングされることを決定し、第2のトラフィックタイプのための定期的なCSI報告と同時に第1のトラフィックタイプのための非定期的なCSI報告を報告TTIにおいて送信し得る。いくつかの場合、CSI報告を生成することは、基準リソースに基づいて第2のTTI長と関連付けられるCQIを決定することを含む。いくつかの場合、CSI報告を生成することは、基準リソースに基づいて第3のTTI長と関連付けられる第2のCQIを決定することを含む。いくつかの場合、CSI報告を生成することは、基準リソースが第3のTTI長を有することを決定することを含む。いくつかの場合、CSI報告を生成することは、制御チャネルオーバーヘッドの不在、所定の量の制御チャネルオーバーヘッド、トリガと関連付けられるTTIにおける制御チャネルオーバーヘッドの量、または、第1のTTI長に対する第2のTTI長の比および第1のTTI長に対して利用可能なリソース要素の数から決定される利用可能なリソース要素の数に基づく。いくつかの場合、CSI報告を送信することは、生成されたCSI報告によってパンクチャリングされるPUSCHを送信することを含み、生成されたCSI報告は第2のトラフィックタイプのためのCSI報告を含む。すなわち、生成されたCSI報告は、ULLおよび/またはURLLCのために生成されるsCSIであることがあり、PUSCHをパンクチャリングすることがある。
【００９６】
送信機720は、デバイスの他の構成要素によって生成された信号を送信し得る。いくつかの例では、送信機720は、トランシーバモジュールにおいて受信機710と一緒に置かれ得る。たとえば、送信機720は、図9を参照して説明されるトランシーバ935の態様の例であり得る。送信機720は、単一のアンテナまたはアンテナのセットを利用し得る。
【００９７】
図8は、本開示の態様による、複数の送信時間間隔を伴うシステムのためのCSI報告をサポートする通信マネージャ815のブロック図800を示す。通信マネージャ815は、図6、図7、および図9を参照して説明される通信マネージャ615、通信マネージャ715、または通信マネージャ915の態様の例であり得る。通信マネージャ815は、トラフィックタイプ構成要素820、トリガ構成要素825、基準リソース構成要素830、CSI報告構成要素835、CSI能力構成要素840、優先順位付け構成要素845、および比構成要素850を含み得る。これらのモジュールの各々は、(たとえば、1つまたは複数のバスを介して)互いと直接または間接的に通信し得る。
【００９８】
トラフィックタイプ構成要素820は、第1のTTI長を利用する第1のトラフィックタイプおよび第1のTTI長より短い第2のTTI長を利用する第2のトラフィックタイプを介した通信のための構成を確立し得る。いくつかの場合、第2のトラフィックタイプは、第2のTTI長と、第1のTT長より短く第2のTTI長と異なる第3のTTI長とを利用する。いくつかの場合、第1の送信モードは第1のトラフィックタイプのために構成され、第1の送信モードと異なる第2の送信モードは第2のトラフィックタイプのために構成される。いくつかの場合、第2のトラフィックタイプはULLプロトコルまたはURLLCプロトコルを含む。
【００９９】
トリガ構成要素825は、第2のトラフィックタイプと関連付けられるCSI報告に対するトリガを特定し、インデックス付けされたエントリのセットを含む非定期的なCSI報告トリガ構成を受信することができ、インデックス付けされたエントリのセットのうちの少なくとも1つが、第2のトラフィックタイプのためのCSI報告に対するトリガを示す。いくつかの場合、トリガを特定することは、第1のTTIの中の非定期的なCSI報告トリガを含む第1のトラフィックタイプと関連付けられるDCIメッセージを受信することを含む。いくつかの場合、DCIメッセージは、インデックス付けされたエントリのセットのうちの1つに対するインデックスを含む。いくつかの場合、報告構成は、第1のTTI内の第2のTTI長の構成されたTTIを含む。いくつかの場合、報告構成は、基準リソースが報告TTIに先行するような第2のTTI長のTTIの数を含む。いくつかの例では、トリガを特定することは、非定期的なCSI報告トリガを含む第2のトラフィックタイプと関連付けられるDCIメッセージを受信することを含み得る。いくつかの場合、非定期的なCSI報告トリガは、第1のトラフィックタイプと関連付けられる第2のCSI報告が報告TTIにおいてCSI報告とともに送信されることをトリガし、報告TTIは第2のTTI長を有する。いくつかの場合、第2のトラフィックタイプと関連付けられる非定期的なCSI報告トリガを受信すること。
【０１００】
基準リソース構成要素830は、CSI報告のための第2のトラフィックタイプに対する基準リソースを特定することができ、基準リソースは、第2のTTI長を有するTTIを含み、第2のTTI長と関連付けられる報告構成に基づいて特定される。いくつかの場合、基準リソース構成要素830は、基準リソースに先行する第2のTTI長を有するTTIへと基準リソースを合わせ得る。
【０１０１】
CSI報告構成要素835は、基準リソースに基づいてCSI報告を生成し、報告TTIの間に、特定されたトリガに応答して、CSI報告を送信し、第1のトラフィックタイプのための非定期的なCSI報告が報告TTIのためにスケジューリングされることを決定し、第2のトラフィックタイプのための定期的なCSI報告と同時に第1のトラフィックタイプのための非定期的なCSI報告を報告TTIにおいて送信し得る。いくつかの場合、CSI報告を生成することは、基準リソースに基づいて第2のTTI長と関連付けられるCQIを決定することを含む。いくつかの場合、CSI報告を生成することは、基準リソースに基づいて第3のTTI長と関連付けられる第2のCQIを決定することを含む。いくつかの場合、CSI報告を生成することは、基準リソースが第3のTTI長を有することを決定することを含む。いくつかの場合、CSI報告を生成することは、制御チャネルオーバーヘッドの不在、所定の量の制御チャネルオーバーヘッド、トリガと関連付けられるTTIにおける制御チャネルオーバーヘッドの量、または、第1のTTI長に対する第2のTTI長の比および第1のTTI長に対して利用可能なリソース要素の数から決定される利用可能なリソース要素の数に基づく。いくつかの場合、CSI報告を送信することは、生成されたCSI報告によってパンクチャリングされるPUSCHを送信することを含み、生成されたCSI報告は第2のトラフィックタイプのためのCSI報告を含む。たとえば、PUSCHは、ULLトラフィックタイプおよび/またはURLLCトラフィックタイプのための生成されたsCSIによってパンクチャリングされ得る。
【０１０２】
CSI能力構成要素840はCSI処理能力をシグナリングし、CSI処理能力が、第1のトラフィックタイプのためのサポートされるCSI処理の第1の数および第2のトラフィックタイプのためのサポートされるCSI処理の第2の数を示し、報告されていないCSI要求の数が閾値を超えることを決定することができる。
【０１０３】
優先順位付け構成要素845は、報告されていないCSI要求と関連付けられるトリガのタイミング、報告されていないCSI要求と関連付けられるトラフィックタイプの優先順位、報告されていないCSI要求と関連付けられるTTIの長さ、報告されていないCSI要求と関連付けられる複数の構成されたセルのためのそれぞれのセルインデックス、報告されていないCSI要求と関連付けられるそれぞれのトラフィックタイプ、またはこれらの組合せに基づいて、報告されていないCSI要求のためのCSI報告の生成を優先順位付け得る。いくつかの場合、第2のTTI長と関連付けられるCSI報告に対する報告されていないCSI要求は、第1のTTI長と関連付けられるCSI報告に対する報告されていないCSI要求より優先される。いくつかの場合、優先順位付け構成要素845は、報告されていないCSI要求の第1のサブセットに対するCSI測定結果を更新し、報告されていないCSI要求の第2のサブセットに対するCSI測定結果の更新を抑制し得る。
【０１０４】
無線構成要素850は、第1のトラフィックタイプに対するPDSCHのEPREと第1の基準信号のEPREとの第1の比と、第2のトラフィックタイプに対するPDSCHのEPREと第2の基準信号のEPREとの第2の比とを特定することができ、CSI報告を生成することは第2の比に基づく。いくつかの場合、第2の比は第1の比と等しい。いくつかの場合、第2の比は第1の比と異なる。
【０１０５】
図9は、本開示の態様による、複数の送信時間間隔を伴うシステムのためのCSI報告をサポートするデバイス905を含むシステム900の図を示す。デバイス905は、たとえば、図6および図7を参照して上で説明されたような、ワイヤレスデバイス605、ワイヤレスデバイス705、またはUE115の構成要素の例であるか、またはそれらを含み得る。デバイス905は、通信マネージャ915、プロセッサ920、メモリ925、ソフトウェア930、トランシーバ935、アンテナ940、およびI/Oコントローラ945を含む、通信を送信および受信するための構成要素を含む、双方向音声およびデータ通信のための構成要素を含み得る。これらの構成要素は、1つまたは複数のバス(たとえば、バス910)を介して電子通信し得る。デバイス905は、1つまたは複数の基地局105とワイヤレスに通信し得る。
【０１０６】
プロセッサ920は、インテリジェントハードウェアデバイス(たとえば、汎用プロセッサ、DSP、中央処理ユニット(CPU)、マイクロコントローラ、ASIC、FPGA、プログラマブル論理デバイス、個別ゲートもしくはトランジスタ論理コンポーネント、個別ハードウェアコンポーネント、またはそれらの任意の組合せ)を含み得る。いくつかの場合、プロセッサ920は、メモリコントローラを使用してメモリアレイを動作させるように構成され得る。他の場合、メモリコントローラは、プロセッサ920の中に統合され得る。プロセッサ920は、様々な機能(たとえば、複数の送信時間間隔を伴うシステムのためのCSI報告をサポートする機能またはタスク)を実行するために、メモリに記憶されたコンピュータ可読命令を実行するように構成され得る。
【０１０７】
メモリ925は、ランダムアクセスメモリ(RAM)と読取り専用メモリ(ROM)とを含み得る。メモリ925は、実行されると、プロセッサに、本明細書で説明される様々な機能を実行させる命令を含む、コンピュータ可読のコンピュータ実行可能ソフトウェア930を記憶し得る。いくつかの場合、メモリ925は、特に、周辺構成要素またはデバイスとの相互作用などの、基本的なハードウェアまたはソフトウェア動作を制御し得る基本入出力システム(BIOS)を含み得る。
【０１０８】
ソフトウェア930は、複数の送信時間間隔を伴うシステムのためのCSI報告をサポートするためのコードを含む、本開示の態様を実装するためのコードを含み得る。ソフトウェア930は、システムメモリまたは他のメモリなどの、非一時的コンピュータ可読媒体に記憶され得る。いくつかの場合、ソフトウェア930は、プロセッサによって直接実行可能ではないことがあるが、(たとえば、コンパイルされ、実行されると)本明細書で説明される機能をコンピュータに実行させることがある。
【０１０９】
トランシーバ935は、上で説明されたような1つまたは複数のアンテナ、有線リンク、またはワイヤレスリンクを介して双方向に通信することができる。たとえば、トランシーバ935は、ワイヤレストランシーバを表すことがあり、別のワイヤレストランシーバと双方向に通信し得る。トランシーバ935はまた、パケットを変調し、変調されたパケットを送信のためにアンテナに与え、かつアンテナから受信されたパケットを復調するためのモデムも含み得る。いくつかの場合、ワイヤレスデバイスは単一のアンテナ940を含み得る。しかしながら、いくつかの場合、デバイスは、複数のワイヤレス送信を同時に送信または受信することが可能であることがある、2つ以上のアンテナ940を有し得る。
【０１１０】
I/Oコントローラ945は、デバイス905のための入力信号および出力信号を管理し得る。I/Oコントローラ945はまた、デバイス905に統合されていない周辺装置を管理し得る。いくつかの場合、I/Oコントローラ945は、外部周辺装置への物理接続またはポートを表し得る。いくつかの場合、I/Oコントローラ945は、iOS(登録商標)、ANDROID(登録商標)、MS-DOS(登録商標)、MS-WINDOWS(登録商標)、OS/2(登録商標)、UNIX(登録商標)、LINUX(登録商標)、または別の知られているオペレーティングシステムなどの、オペレーティングシステムを利用し得る。他の場合には、I/Oコントローラ945は、モデム、キーボード、マウス、タッチスクリーン、または同様のデバイスを表し、またはそれと対話し得る。いくつかの場合、I/Oコントローラ945は、プロセッサの一部として実装され得る。いくつかの場合、ユーザは、I/Oコントローラ945を介して、またはI/Oコントローラ945によって制御されたハードウェア構成要素を介して、デバイス905と対話し得る。
【０１１１】
図10は、本開示の態様による、複数の送信時間間隔を伴うシステムのためのCSI報告の方法1000を示すフローチャートを示す。方法1000の動作は、本明細書で説明されたように、UE115またはその構成要素によって実施され得る。たとえば、方法1000の動作は、図6〜図9を参照して説明されたような通信マネージャによって実行され得る。いくつかの例では、UE115は、以下で説明される機能を実行するようにデバイスの機能要素を制御するためのコードのセットを実行し得る。加えて、または代わりに、UE115は、以下で説明される機能の態様を、専用ハードウェアを使用して実行し得る。
【０１１２】
ブロック1005において、UE115は、第1のTTI長を利用する第1のトラフィックタイプおよび第1のTTI長より短い第2のTTI長を利用する第2のトラフィックタイプを介した通信のための構成を確立し得る。ブロック1005の動作は、本明細書で説明される方法に従って実行され得る。いくつかの例では、ブロック1005の動作の態様は、図6〜図9を参照して説明されたようなトラフィックタイプ構成要素によって実行され得る。
【０１１３】
ブロック1010において、UE115は、第2のトラフィックタイプと関連付けられるCSI報告に対するトリガを特定し得る。ブロック1010の動作は、本明細書で説明される方法に従って実行され得る。いくつかの例では、ブロック1010の動作の態様は、図6〜図9を参照して説明されたようなトリガ構成要素によって実行され得る。
【０１１４】
ブロック1015において、UE115は、CSI報告のための第2のトラフィックタイプに対する基準リソースを特定することができ、基準リソースは、第2のTTI長を有するTTIを備え、第2のTTI長と関連付けられる報告構成に少なくとも一部基づいて特定される。ブロック1015の動作は、本明細書で説明される方法に従って実行され得る。いくつかの例では、ブロック1015の動作の態様は、図6〜図9を参照して説明されたような基準リソース構成要素によって実行され得る。
【０１１５】
ブロック1020において、UE115は、基準リソースに少なくとも一部基づいてCSI報告を生成することができる。ブロック1020の動作は、本明細書で説明される方法に従って実行され得る。いくつかの例では、ブロック1020の動作の態様は、図6〜図9を参照して説明されたようなCSI報告構成要素によって実行され得る。
【０１１６】
ブロック1025において、UE115は、報告TTIの間に、特定されたトリガに応答して、CSI報告を送信し得る。ブロック1025の動作は、本明細書で説明される方法に従って実行され得る。いくつかの例では、ブロック1025の動作の態様は、図6〜図9を参照して説明されたようなCSI報告構成要素によって実行され得る。
【０１１７】
図11は、本開示の態様による、複数の送信時間間隔を伴うシステムのためのCSI報告の方法1100を示すフローチャートを示す。方法1100の動作は、本明細書で説明されたように、UE115またはその構成要素によって実施され得る。たとえば、方法1100の動作は、図6〜図9を参照して説明されたような通信マネージャによって実行され得る。いくつかの例では、UE115は、以下で説明される機能を実行するようにデバイスの機能要素を制御するためのコードのセットを実行し得る。加えて、または代わりに、UE115は、以下で説明される機能の態様を、専用ハードウェアを使用して実行し得る。
【０１１８】
ブロック1105において、UE115は、第1のTTI長を利用する第1のトラフィックタイプおよび第1のTTI長より短い第2のTTI長を利用する第2のトラフィックタイプを介した通信のための構成を確立し得る。いくつかの場合、第2のトラフィックタイプは、第2のTTI長と、第1のTT長より短く第2のTTI長と異なる第3のTTI長とを利用する。ブロック1105の動作は、本明細書で説明される方法に従って実行され得る。いくつかの例では、ブロック1105の動作の態様は、図6〜図9を参照して説明されたようなトラフィックタイプ構成要素によって実行され得る。
【０１１９】
ブロック1110において、UE115は、第2のトラフィックタイプと関連付けられるCSI報告に対するトリガを特定し得る。ブロック1110の動作は、本明細書で説明される方法に従って実行され得る。いくつかの例では、ブロック1110の動作の態様は、図6〜図9を参照して説明されたようなトリガ構成要素によって実行され得る。
【０１２０】
ブロック1115において、UE115は、CSI報告のための第2のトラフィックタイプに対する基準リソースを特定することができ、基準リソースは、第2のTTI長を有するTTIを備え、第2のTTI長と関連付けられる報告構成に少なくとも一部基づいて特定される。ブロック1115の動作は、本明細書で説明される方法に従って実行され得る。いくつかの例では、ブロック1115の動作の態様は、図6〜図9を参照して説明されたような基準リソース構成要素によって実行され得る。
【０１２１】
ブロック1120において、UE115は、基準リソースに基づいて第2のTTI長と関連付けられるCQIを決定し得る。いくつかの例では、UE115は、基準リソースに基づいて第3のTTI長と関連付けられる第2のCQIを決定し得る。ブロック1120の動作は、本明細書で説明される方法に従って実行され得る。いくつかの例では、ブロック1120の動作の態様は、図6〜図9を参照して説明されたようなCSI報告構成要素によって実行され得る。
【０１２２】
ブロック1125において、UE115は、基準リソースに少なくとも一部基づいてCSI報告を生成することができ、生成されたCSI報告は第2のTTI長と関連付けられるCQIを含み得る。加えて、または代わりに、UE115は、基準リソースが第3のTTI長を有することを決定することができ、基準リソースに先行する第2のTTI長を有するTTIへと基準リソースを合わせることができ、調整された基準リソースに基づいてCQIを生成することができる。ブロック1125の動作は、本明細書で説明される方法に従って実行され得る。いくつかの例では、ブロック1125の動作の態様は、図6〜図9を参照して説明されたようなCSI報告構成要素によって実行され得る。
【０１２３】
ブロック1130において、UE115は、報告TTIの間に、特定されたトリガに応答して、CSI報告を送信し得る。ブロック1130の動作は、本明細書で説明される方法に従って実行され得る。いくつかの例では、ブロック1130の動作の態様は、図6〜図9を参照して説明されたようなCSI報告構成要素によって実行され得る。
【０１２４】
図12は、本開示の態様による、複数の送信時間間隔を伴うシステムのためのCSI報告の方法1200を示すフローチャートを示す。方法1200の動作は、本明細書で説明されたように、UE115またはその構成要素によって実施され得る。たとえば、方法1200の動作は、図6〜図9を参照して説明されたような通信マネージャによって実行され得る。いくつかの例では、UE115は、以下で説明される機能を実行するようにデバイスの機能要素を制御するためのコードのセットを実行し得る。加えて、または代わりに、UE115は、以下で説明される機能の態様を、専用ハードウェアを使用して実行し得る。
【０１２５】
ブロック1205において、UE115は、第1のTTI長を利用する第1のトラフィックタイプおよび第1のTTI長より短い第2のTTI長を利用する第2のトラフィックタイプを介した通信のための構成を確立し得る。ブロック1205の動作は、本明細書で説明される方法に従って実行され得る。いくつかの例では、ブロック1205の動作の態様は、図6〜図9を参照して説明されたようなトラフィックタイプ構成要素によって実行され得る。
【０１２６】
ブロック1210において、UE115は、第2のトラフィックタイプと関連付けられるCSI報告に対するトリガを特定し得る。ブロック1210の動作は、本明細書で説明される方法に従って実行され得る。いくつかの例では、ブロック1210の動作の態様は、図6〜図9を参照して説明されたようなトリガ構成要素によって実行され得る。
【０１２７】
ブロック1215において、UE115は、CSI報告のための第2のトラフィックタイプに対する基準リソースを特定することができ、基準リソースは、第2のTTI長を有するTTIを備え、第2のTTI長と関連付けられる報告構成に少なくとも一部基づいて特定される。ブロック1215の動作は、本明細書で説明される方法に従って実行され得る。いくつかの例では、ブロック1215の動作の態様は、図6〜図9を参照して説明されたような基準リソース構成要素によって実行され得る。
【０１２８】
ブロック1220において、UE115は、報告されていないCSI要求の数が閾値を超えることを決定し得る。ブロック1220の動作は、本明細書で説明される方法に従って実行され得る。いくつかの例では、ブロック1220の動作の態様は、図6〜図9を参照して説明されたようなCSI能力構成要素によって実行され得る。
【０１２９】
ブロック1225において、UE115は、報告されていないCSI要求と関連付けられるトリガのタイミング、報告されていないCSI要求と関連付けられるトラフィックタイプの優先順位、報告されていないCSI要求と関連付けられるTTIの長さ、報告されていないCSI要求と関連付けられる複数の構成されたセルのためのそれぞれのセルインデックス、報告されていないCSI要求と関連付けられるそれぞれのトラフィックタイプ、またはこれらの組合せに少なくとも一部基づいて、報告されていないCSI要求のためのCSI報告の生成を優先順位付け得る。いくつかの場合、第2のTTI長と関連付けられるCSI報告に対する報告されていないCSI要求は、第1のTTI長と関連付けられるCSI報告に対する報告されていないCSI要求より優先される。ブロック1225の動作は、本明細書で説明される方法に従って実行され得る。いくつかの例では、ブロック1225の動作の態様は、図6〜図9を参照して説明されたような優先順位付け構成要素によって実行され得る。
【０１３０】
ブロック1230において、UE115は、基準リソースに少なくとも一部基づいてCSI報告を生成することができる。ブロック1230の動作は、本明細書で説明される方法に従って実行され得る。いくつかの例では、ブロック1230の動作の態様は、図6〜図9を参照して説明されたようなCSI報告構成要素によって実行され得る。
【０１３１】
ブロック1235において、UE115は、報告TTIの間に、特定されたトリガに応答して、CSI報告を送信し得る。ブロック1235の動作は、本明細書で説明される方法に従って実行され得る。いくつかの例では、ブロック1235の動作の態様は、図6〜図9を参照して説明されたようなCSI報告構成要素によって実行され得る。
【０１３２】
上で説明された方法は、可能な実装形態を説明しており、動作およびステップは、再構成されるか、または別様に修正されてもよく、他の実装形態が可能であることに留意されたい。さらに、方法のうちの2つ以上からの態様が組み合わされてもよい。
【０１３３】
本明細書で説明される技法は、符号分割多元接続(CDMA)、時分割多元接続(TDMA)、周波数分割多元接続(FDMA)、直交周波数分割多元接続(OFDMA)、シングルキャリア周波数分割多元接続(SC-FDMA)、および他のシステムなどの、様々なワイヤレス通信システムのために使用されてもよい。「システム」および「ネットワーク」という用語は、しばしば、互換的に使用される。符号分割多元接続(CDMA)システムは、CDMA2000、Universal Terrestrial Radio Access(UTRA)などの無線技術を実装することがある。cdma2000は、IS-2000規格、IS-95規格、およびIS-856規格をカバーする。IS-2000リリースは、通常、CDMA2000 1X、1Xなどと呼ばれることがある。IS-856(TIA-856)は、一般に、CDMA2000 1xEV-DO、High Rate Packet Data(HRPD)などと呼ばれる。UTRAは、Wideband CDMA(WCDMA(登録商標))、およびCDMAの他の変形態を含む。TDMAシステムは、Global System for Mobile communications(GSM(登録商標))などの無線技術を実装し得る。
【０１３４】
OFDMAシステムは、Ultra Mobile Broadband(UMB)、Evolved UTRA(E-UTRA)、米国電気電子技術者協会(IEEE)802.11(Wi-Fi)、IEEE802.16(WiMAX)、IEEE802.20、Flash-OFDMなどの無線技術を実装し得る。UTRAおよびE-UTRAは、Universal Mobile Telecommunications System(UMTS)の一部である。LTEおよびLTE-Aは、E-UTRAを使用するUMTSのリリースである。UTRA、E-UTRA、UMTS、LTE、LTE-A、NR、およびGSM(登録商標)は、「第3世代パートナーシッププロジェクト」(3GPP)と称する団体からの文書に記載されている。cdma2000およびUMBは、「第3世代パートナーシッププロジェクト2」(3GPP2)と称する団体からの文書に記載されている。本明細書で説明される技法は、上で言及されたシステムおよび無線技術ならびに他のシステムおよび無線技術に使用され得る。LTEまたはNRシステムの態様が例として説明されることがあり、説明の大部分においてLTEまたはNR用語が使用されることがあるが、本明細書で説明された技法は、LTEまたはNR適用例以外に適用可能である。
【０１３５】
本明細書で説明されるネットワークを含むLTE/LTE-Aネットワークでは、evolved node B(eNB)という用語は、一般に、基地局を記述するために使用されることがある。本明細書で説明される1つまたは複数のワイヤレス通信システムは、異なるタイプのeNBが様々な地理的領域にカバレッジを提供する異種LTE/LTE-AまたはNRネットワークを含み得る。たとえば、各eNB、次世代NodeB(gNB)、または基地局は、マクロセル、スモールセル、または他のタイプのセルに通信カバレッジを提供し得る。「セル」という用語は、文脈に応じて、基地局、基地局と関連付けられるキャリアもしくはコンポーネントキャリア、またはキャリアもしくは基地局のカバレッジエリア(たとえば、セクタなど)を表すために使用され得る。
【０１３６】
基地局は、基地トランシーバ局、無線基地局、アクセスポイント、無線トランシーバ、NodeB、eNodeB(eNB)、gNB、Home NodeB、Home eNodeB、または何らかの他の好適な用語を含むことがあり、またはそのように当業者によって呼ばれることがある。基地局のための地理的カバレッジエリアは、カバレッジエリアの一部分のみを構成するセクタに分割され得る。本明細書で説明された1つまたは複数のワイヤレス通信システムは、異なるタイプの基地局(たとえば、マクロ基地局またはスモールセル基地局)を含み得る。本明細書で説明されるUEは、マクロeNB、スモールセルeNB、gNB、リレー基地局などを含む、様々なタイプの基地局およびネットワーク機器と通信することが可能であり得る。異なる技術のための重複する地理的カバレッジエリアがあり得る。
【０１３７】
マクロセルは、一般に、比較的大きい地理的エリア(たとえば、半径数キロメートル)をカバーし、ネットワークプロバイダのサービスに加入しているUEによる無制限アクセスを可能にし得る。スモールセルは、マクロセルと比較して、同じまたは異なる(たとえば、認可、無認可などの)周波数帯域内でマクロセルとして動作し得る低電力基地局である。スモールセルは、様々な例によれば、ピコセル、フェムトセル、およびマイクロセルを含み得る。ピコセルは、たとえば、小さい地理的エリアをカバーすることがあり、ネットワークプロバイダのサービスに加入しているUEによる無制限アクセスを可能にすることがある。フェムトセルも、小さい地理的エリア(たとえば、自宅)をカバーすることがあり、フェムトセルとの関連付けを有するUE(たとえば、限定加入者グループ(CSG)の中のUE、自宅の中のユーザ用のUEなど)による制限付きアクセスを提供することがある。マクロセル用のeNBは、マクロeNBと呼ばれることがある。スモールセル用のeNBは、スモールセルeNB、ピコeNB、フェムトeNB、またはホームeNBと呼ばれることがある。eNBは、1つまたは複数の(たとえば、2つ、3つ、4つなどの)セル(たとえば、コンポーネントキャリア)をサポートすることがある。
【０１３８】
本明細書で説明された1つまたは複数のワイヤレス通信システムは、同期動作または非同期動作をサポートし得る。同期動作の場合、基地局は、類似のフレームタイミングを有することがあり、異なる基地局からの送信は、時間的にほぼ整合されることがある。非同期動作の場合、基地局は、異なるフレームタイミングを有することがあり、異なる基地局からの送信は、時間的に整合されないことがある。本明細書で説明される技法は、同期動作または非同期動作のいずれで使用されてもよい。
【０１３９】
本明細書で説明されたダウンリンク送信は順方向リンク送信と呼ばれることがあり、アップリンク送信は逆方向リンク送信と呼ばれることがある。たとえば、図1および図2のワイヤレス通信システム100および200を含む、本明細書で説明される各通信リンクは、1つまたは複数のキャリアを含むことがあり、各キャリアは、複数のサブキャリア(たとえば、異なる周波数の波形信号)から構成される信号であり得る。
【０１４０】
添付の図面に関して本明細書に記載された説明は、例示的な構成を説明し、実装され得るまたは特許請求の範囲内に入るすべての例を表すとは限らない。本明細書で使用される「例示的」という用語は、「例、事例、または例示として役立つ」ことを意味し、「好ましい」または「他の例よりも有利な」を意味するものではない。詳細な説明は、説明された技法を理解することを目的とした具体的な詳細を含む。しかしながら、これらの技法は、これらの具体的な詳細を伴うことなく実践され得る。いくつかの事例では、説明された例の概念を不明瞭にすることを回避するために、よく知られている構造およびデバイスがブロック図の形態で示されている。
【０１４１】
添付の図面において、類似の構成要素または特徴は、同じ参照符号を有することがある。さらに、同じタイプの様々な構成要素は、類似の構成要素を区別するダッシュおよび第2の符号を参照符号に続けることによって区別され得る。本明細書において第1の参照ラベルのみが使用される場合、説明は、第2の参照ラベルにかかわらず、同じ第1の参照ラベルを有する同様の構成要素のいずれにも適用可能である。
【０１４２】
本明細書で説明される情報および信号は、多種多様な技術および技法のいずれを使用して表されてもよい。たとえば、上記の説明全体にわたって言及され得るデータ、命令、コマンド、情報、信号、ビット、シンボルおよびチップは、電圧、電流、電磁波、磁場もしくは磁性粒子、光場または光学粒子、またはそれらの任意の組合せによって表され得る。
【０１４３】
本明細書の本開示に関して説明される様々な例示的なブロックおよびモジュールは、汎用プロセッサ、DSP、ASIC、FPGAもしくは他のプログラマブル論理デバイス、個別ゲートもしくはトランジスタ論理、個別ハードウェア構成要素、または、本明細書で説明された機能を実行するように設計されたそれらの任意の組合せを用いて実装または実行されることがある。汎用プロセッサは、マイクロプロセッサであり得るが、代替として、プロセッサは、任意の従来のプロセッサ、コントローラ、マイクロコントローラ、または状態機械であり得る。プロセッサはまた、コンピューティングデバイスの組合せ(たとえば、DSPとマイクロプロセッサとの組合せ、複数のマイクロプロセッサ、DSPコアと連携した1つもしくは複数のマイクロプロセッサ、または任意の他のそのような構成)としても実装され得る。
【０１４４】
本明細書で説明された機能は、ハードウェア、プロセッサによって実行されるソフトウェア、ファームウェア、またはそれらの任意の組合せとして実装され得る。プロセッサによって実行されるソフトウェアで実装される場合、機能は、1つまたは複数の命令またはコードとして、コンピュータ可読媒体上に記憶されるか、またはコンピュータ可読媒体を介して送信され得る。他の例および実装形態は、本開示および添付の特許請求の範囲の範囲内に入る。たとえば、ソフトウェアの性質に起因して、上で説明された機能は、プロセッサ、ハードウェア、ファームウェア、ハードワイヤリング、またはこれらのうちのいずれかの組合せによって実行されるソフトウェアを使用して実装され得る。機能を実装する特徴はまた、様々な物理的位置に機能の一部が実装されるように分散されることを含めて、様々な位置に物理的に位置し得る。また、特許請求の範囲内を含めて本明細書で使用される、項目のリスト(たとえば、「のうちの少なくとも1つ」または「のうちの1つまたは複数」などの句が後置される項目のリスト)において使用される「または」は、たとえば、A、B、またはCのうちの少なくとも1つのリストが、AまたはBまたはCまたはABまたはACまたはBCまたはABC(すなわち、AおよびBおよびC)を意味するような包括的リストを示す。また、本明細書で使用される「に基づいて」という句は、条件の閉集合を指すものと解釈されるべきではない。たとえば、「条件Aに基づいて」として説明された例示的なステップは、本開示の範囲から逸脱することなく、条件Aと条件Bの両方に基づいてもよい。言い換えれば、本明細書で使用する「に基づいて」という句は、「に少なくとも部分的に基づいて」という句と同じように解釈されるべきである。
【０１４５】
コンピュータ可読媒体は、非一時的コンピュータ記憶媒体と、ある場所から別の場所へのコンピュータプログラムの転送を容易にする任意の媒体を含む通信媒体の両方を含む。非一時的記憶媒体は、汎用コンピュータまたは専用コンピュータによってアクセスされ得る任意の利用可能な媒体であり得る。限定ではなく例として、非一時的コンピュータ可読媒体は、RAM、ROM、電気的消去可能プログラマブル読取り専用メモリ(EEPROM)、コンパクトディスク(CD)ROMもしくは他の光ディスクストレージ、磁気ディスクストレージもしくは他の磁気ストレージデバイス、または、命令もしくはデータ構造の形態の所望のプログラムコード手段を搬送または記憶するために使用され、汎用コンピュータもしくは専用コンピュータまたは汎用プロセッサもしくは専用プロセッサによってアクセスされ得る任意の他の非一時的媒体を備え得る。また、任意の接続が、適正にコンピュータ可読媒体と呼ばれる。たとえば、ソフトウェアが、同軸ケーブル、光ファイバーケーブル、ツイストペア、デジタル加入者線(DSL)、または赤外線、無線、およびマイクロ波などのワイヤレス技術を使用してウェブサイト、サーバ、または他のリモートソースから送信される場合、同軸ケーブル、光ファイバーケーブル、ツイストペア、DSL、または赤外線、無線、およびマイクロ波などのワイヤレス技術は、媒体の定義に含まれる。本明細書で使用されるディスク(disk)およびディスク(disc)は、CD、レーザーディスク(登録商標)(disc)、光ディスク(disc)、デジタル多用途ディスク(disc)(DVD)、フロッピー(登録商標)ディスク(disk)およびBlu-ray(登録商標)ディスク(disc)を含み、ディスク(disk)は通常、データを磁気的に再生し、ディスク(disc)は、レーザーを用いてデータを光学的に再生する。上記のもの組合せも、コンピュータ可読媒体の範囲内に含まれる。
【０１４６】
本明細書での説明は、当業者が本開示を作成または使用することを可能にするために提供される。本開示に対する様々な修正は、当業者に容易に明らかになり、本明細書で定義された一般原理は、本開示の範囲から逸脱することなく他の変形形態に適用され得る。したがって、本開示は、本明細書で説明される例および設計に限定されず、本明細書で開示された原理および新規の特徴と一致する最も広い範囲を与えられるべきである。
【符号の説明】
【０１４７】
105  基地局
110  地理的カバレッジエリア
115  UE
125  通信リンク
130  コアネットワーク
132  バックホールリンク
134  バックホールリンク
205  カバレッジエリア
210  双方向通信リンク
215  第1のトリガ
220  第2のトリガ
225  CSI報告
230  トリガ
305  サブフレームn
310  サブフレームn+1
315  サブフレームn+2
320  サブフレームn+3
325  サブフレームn+4
330  非定期的なCSI要求
335  sTTI基準リソース
340  CSI報告
405  サブフレームn
410  サブフレームn+1
415  サブフレームn+2
420  サブフレームn+3
425  サブフレームn+4
435  CSI要求0
440  CSI要求1
442  sCSI要求0
445  sTTI基準リソース
447  sCSI要求1
450  sTTI基準リソース
452  sCSI要求2
455  sTTI基準リソース
460  CSI報告0
605  ワイヤレスデバイス
610  受信機
615  通信マネージャ
620  送信機
705  ワイヤレスデバイス
710  受信機
715  通信マネージャ
720  送信機
725  プロトコルタイプ構成要素
730  トリガ構成要素
735  基準リソース構成要素
740  CSI報告構成要素
815  通信マネージャ
820  プロトコルタイプ構成要素
825  トリガ構成要素
830  基準リソース構成要素
835  CSI報告構成要素
840  CSI能力構成要素
845  優先順位付け構成要素
850  比構成要素
905  デバイス
910  バス
915  通信マネージャ
920  プロセッサ
930  ソフトウェア
935  トランシーバ
940  アンテナ
945  I/Oコントローラ
【図１】
2020519095.tif 000003
【図２】
2020519095.tif 000004
【図３】
2020519095.tif 000005
【図４】
2020519095.tif 000006
【図５】
2020519095.tif 000007
【図６】
2020519095.tif 000008
【図７】
2020519095.tif 000009
【図８】
2020519095.tif 000010
【図９】
2020519095.tif 000011
【図１０】
2020519095.tif 000012
【図１１】
2020519095.tif 000013
【図１２】
2020519095.tif 000014
【国際調査報告】
2020519095.tif 000015
2020519095.tif 000016